(57)【要約】      （修正有）【課題】デバイスツーデバイス（Ｄ２Ｄ）通信を実施するＵＥが移動通信ネットワークのカバレッジのエリア内に配置されるときに、Ｄ２Ｄ通信を可能な限り移動通信ネットワークの制御下に置くように適合する方法を提供する。【解決手段】第１の無線トランシーバ局がサービスする第１の移動通信デバイスに対して、プローブ信号の送信を指令する。第１の無線トランシーバ局に、第１の移動通信デバイスにより送信されるプローブ信号の第１の測定を実施させる。第１の無線トランシーバ局に、第１の移動通信デバイスにより送信されるプローブ信号の第２の測定を受信させる。第２の測定内容が第２の移動通信デバイスにより指示される。第１の無線トランシーバ局は、第１の測定および第２の測定を比較する。第１の無線トランシーバ局は、比較結果に基づき、Ｄ２Ｄ通信のための、第２の移動通信デバイスに向けての第１の移動通信デバイスの通信の切り替えを指令する。【選択図】図４
2018033166.tif 000002
【特許請求の範囲】
【請求項１】
移動通信ネットワーク（１００）を動作させる方法であって、該移動通信ネットワーク（１００）は、移動通信デバイス（１１０、１１５）にサービスする複数の無線トランシーバ局を含み、前記移動通信ネットワーク（１００）は、移動通信デバイス（１１０、１１５）間の通信を管理し、前記方法は、
ａ）前記複数の無線トランシーバ局のうちの第１の無線トランシーバ局が、前記第１の無線トランシーバ局によりサービスされる第１の移動通信デバイス（１１０）に対して、プローブ信号の送信を指令する（２０５；４０５）ステップと、
ｂ）前記第１の無線トランシーバ局が、第２の移動通信デバイス（１１５）に対して、前記第１の移動通信デバイス（１１０）により送信される前記プローブ信号を受信するために、前記第２の移動通信デバイス（１１５）に有用なパラメータを提供する（２１０；４１０、４１５）ステップと、
ｃ）前記第１の無線トランシーバ局が、前記第１の移動通信デバイス（１１０）により送信される前記プローブ信号の第１の測定を行う（２２０；４２５）ステップと、
ｄ）前記第１の無線トランシーバ局が、前記第１の移動通信デバイス（１１０）により送信される前記プローブ信号の第２の測定により得られたものを受信する（２３０；４３５、４４０）ステップであって、前記第２の測定は前記第２の移動通信デバイス（１１５）により行われる、ステップと、
ｅ）前記第１の無線トランシーバ局が、前記第１の測定により得られたものと前記第２の測定により得られたものとを比較する（２３５；４４５）ステップと、
ｆ）前記第１の無線トランシーバ局が、前記第２の移動通信デバイス（１１５）に向けての前記第１の移動通信デバイス（１１０）の通信の、直接デバイスツーデバイス通信への切り替えを、前記比較するステップの結果に基づいて指令するステップと
を含む、方法。
【請求項２】
請求項１に記載の方法であって、前記プローブ信号の前記第１の測定および前記第２の測定は、前記プローブ信号の強度の測定であり、前記第１の無線トランシーバ局は、前記第２の移動通信デバイス（１１５）に向けての前記第１の移動通信デバイス（１１０）の通信の切り替えを、前記第２の移動通信デバイス（１１５）に向けての前記第１の移動通信デバイス（１１０）の前記直接デバイスツーデバイス通信が、前記移動通信ネットワーク（１００）の前記無線トランシーバ局を通過する通信と比べて前記第１の移動通信デバイス（１１０）に対する送信電力の低減をもたらすと、前記比較することが明らかにする場合に、指令する、方法。
【請求項３】
請求項１または２に記載の方法であって、
ｇ）前記第２の移動通信デバイス（１１５）にサービスする、前記複数の無線トランシーバ局のうちの第２の無線トランシーバ局が、前記第２の移動通信デバイス（１１５）に対して、前記プローブ信号の前記送信を指令する（２４５；４５５）ステップと、
ｈ）前記第２の無線トランシーバ局が、前記第１の移動通信デバイス（１１０）に対して、前記第２の移動通信デバイス（１１５）により送信される前記プローブ信号を受信するために、前記第１の移動通信デバイス（１１０）に有用なパラメータを提供する（２５０；４６０、４６５）ステップと、
ｉ）前記第２の無線トランシーバ局が、前記第２の移動通信デバイス（１１５）により送信される前記プローブ信号の第３の測定を行う（２６５；４７５）ステップと、
ｌ）前記第２の無線トランシーバ局が、前記第２の移動通信デバイス（１１５）により送信される前記プローブ信号の第４の測定により得られたものを受信する（２７０；４８５、４９０）ステップであって、前記第４の測定は前記第１の移動通信デバイス（１１０）により行われる、ステップと、
ｍ）前記第２の無線トランシーバ局が、前記第３の測定により得られたものと前記第４
の測定により得られたものとを比較する（２７５；４９５）ステップと、
ｎ）前記第２の無線トランシーバ局が、前記第１の移動通信デバイス（１１０）に向けての前記第２の移動通信デバイス（１１５）の通信の直接デバイスツーデバイス通信への切り替えを、前記比較することの結果に基づいて指令するステップと
をさらに含む方法。
【請求項４】
請求項３に記載の方法であって、前記プローブ信号の前記第３の測定および前記第４の測定は、前記プローブ信号の強度の測定であり、前記第２の無線トランシーバ局は、前記第１の移動通信デバイス（１１０）に向けての前記第２の移動通信デバイス（１１５）の通信の切り替えを、前記第１の移動通信デバイス（１１０）に向けての前記第２の移動通信デバイス（１１５）の前記直接デバイスツーデバイス通信が、前記移動通信ネットワーク（１００）の前記無線トランシーバ局を通過する通信と比べて前記第２の移動通信デバイス（１１５）に対する送信電力の低減をもたらすと、前記比較することが明らかにする場合に、指令する、方法。
【請求項５】
請求項１から４のいずれか一項に記載の方法であって、
第１の無線トランシーバ局が、前記第１の無線トランシーバ局によりサービスされる前記第１の移動通信デバイス（１１０）に対して、プローブ信号の前記送信を指令する（２０５；４０５）ステップ、および、前記第２の移動通信デバイス（１１５）にサービスする前記第２の無線トランシーバ局が、前記第２の移動通信デバイス（１１５）に対して、前記プローブ信号の前記送信を指令する（２４５；４５５）ステップは、
前記第１の無線トランシーバ局および第２の無線トランシーバ局が、それぞれ、前記第１の移動通信デバイスおよび第２の移動通信デバイスに対して、前記プローブ信号を前記移動通信ネットワーク（１００）のネットワーク物理ランダムアクセスチャネルによって送信するように指令するステップを含み、好ましくは前記プローブ信号は、前記移動通信ネットワーク（１００）の要求信号へのアクセスの要求の信号であり、さらに好ましくは前記プローブ信号は、ＰＲＡＣＨによって送信される、
方法。
【請求項６】
請求項２から５のいずれか一項に記載の方法であって、
前記第１の測定により得られたものと前記第２の測定により得られたものとを比較する（２３５；４４５）前記ステップは、前記第１の測定により得られたものに対する前記第２の測定により得られたものの第１の比を第１のしきい値と比較するステップを含み、前記第３の測定により得られたものと前記第４の測定により得られたものとを比較する（２７５；４９５）前記ステップは、前記第３の測定により得られたものに対する前記第４の測定により得られたものの第２の比を前記第１のしきい値と比較するステップを含み、
前記第１の比が前記第１のしきい値を上回る場合に、前記第１の無線トランシーバ局は、前記第２の移動通信デバイス（１１５）に向けての前記第１の移動通信デバイス（１１０）の通信の前記直接デバイスツーデバイス通信への前記切り替えを指令し、
前記第２の比が前記第１のしきい値を上回る場合に、前記第２の無線トランシーバ局は、前記第１の移動通信デバイス（１１０）に向けての前記第２の移動通信デバイス（１１５）の通信の直接デバイスツーデバイス通信への前記切り替えを指令する、
方法。
【請求項７】
請求項１から６のいずれか一項に記載の方法であって、前記直接デバイスツーデバイス通信の間に、
前記移動通信ネットワーク（１００）が、前記第１の移動通信デバイス（１１０）と前記第２の移動通信デバイス（１１５）との少なくとも１つに対して、データパケットを、直接、前記第２の移動通信デバイスまたは第１の移動通信デバイス（１１５、１１０）に、物理アップリンク共有チャネル、好ましくはＰＵＳＣＨによって送出するように指令す
るステップ
を含む方法。
【請求項８】
請求項７に記載の方法であって、前記直接デバイスツーデバイス通信の間に、
前記移動通信ネットワーク（１００）の前記第１の無線トランシーバ局および前記第２の無線トランシーバ局が、それぞれ前記第２の移動通信デバイスおよび前記第１の移動通信デバイス（１１５、１１０）から直接受信されるデータパケットに対して、それぞれ、前記第１の移動通信デバイスおよび前記第２の移動通信デバイス（１１０、１１５）から送出される成功／不成功受信メッセージの確認応答を受信するステップと、
前記移動通信ネットワーク（１００）が、成功／不成功受信メッセージの前記確認応答を、それぞれ、前記第２の移動通信デバイスおよび前記第１の移動通信デバイス（１１５、１１０）に転送するステップと
をさらに含む方法。
【請求項９】
請求項８に記載の方法であって、
成功／不成功受信メッセージの確認応答を受信する前記ステップは、前記第１の無線トランシーバ局および前記第２の無線トランシーバ局が、成功／不成功受信メッセージの前記確認応答を、物理アップリンク制御チャネル、好ましくはＰＵＣＣＨによって受信するステップを含み、
前記移動通信ネットワーク（１００）が、成功／不成功受信メッセージの前記確認応答を転送する前記ステップは、前記移動通信ネットワーク（１００）が、成功／不成功受信メッセージの前記確認応答を、受信専用ダウンリンク物理チャネル、好ましくはＰＨＩＣＨによって送信するステップを含む、
方法。
【請求項１０】
請求項７から９のいずれか一項に記載の方法であって、前記直接デバイスツーデバイス通信の間に、
前記第１の無線トランシーバ局が、第１のダウンリンク制御情報メッセージ、好ましくはＤＣＩを、前記第１の移動通信デバイス（１１０）に送出し、前記第２の移動通信デバイス（１１５）に転送するステップであって、前記第１のダウンリンク制御情報メッセージは、データパケットを前記物理アップリンク共有チャネルによって前記第２の移動通信デバイス（１１５）に送出するために前記第１の移動通信デバイス（１１０）に割当てられるリソースの第１の指示を含む、ステップと、
前記第２の無線トランシーバ局が、第２のダウンリンク制御情報メッセージを、前記第２の移動通信デバイス（１１５）に送出し、前記第１の移動通信デバイス（１１０）に転送するステップであって、前記第２のダウンリンク制御情報メッセージは、データパケットを前記物理アップリンク共有チャネルによって前記第１の移動通信デバイス（１１０）に送出するために前記第２の移動通信デバイス（１１５）に割当てられるリソースの第２の指示を含む、ステップと
をさらに含む、方法。
【請求項１１】
請求項１０に記載の方法であって、前記第１のダウンリンク制御情報メッセージは、成功／不成功受信メッセージの確認応答と、制御パケットとの一方または双方を、前記物理アップリンク制御チャネルによって前記第１のトランシーバ局に送出するために、前記第１の移動通信デバイス（１１０）に割当てられるリソースの第１のさらなる指示をさらに含み、
前記第２のダウンリンク制御情報メッセージは、成功／不成功受信メッセージの確認応答と、制御パケットとの一方または双方を、前記物理アップリンク制御チャネルによって前記第２のトランシーバ局に送出するために、前記第２の移動通信デバイス（１１５）に割当てられるリソースの第２のさらなる指示をさらに含む、
方法。
【請求項１２】
請求項１０または１１に記載の方法であって、前記直接デバイスツーデバイス通信の間に、前記移動通信ネットワーク（１００）が、送信時間窓のあらかじめ決定された送信間隔を、前記第１の移動通信デバイスおよび第２の移動通信デバイス（１１０、１１５）に割当てられる前記リソースから、前記データアップリンク物理チャネルによる前記送信、および、前記物理アップリンク制御チャネルによる前記送信のために除外するステップをさらに含む、方法。
【請求項１３】
請求項１０から１２のいずれか一項に記載の方法であって、前記直接デバイスツーデバイス通信の間に、前記移動通信ネットワーク（１００）が、リソースを前記第１の移動通信デバイスおよび前記第２の移動通信デバイスの一方または双方（１１０、１１５）に、送信時間窓のあらかじめ決定された送信間隔で割当てるステップであって、前記あらかじめ決定された送信間隔は、前記第１の移動通信デバイスおよび前記第２の移動通信デバイスの一方または双方（１１０、１１５）が、それぞれ、前記第１のダウンリンク制御情報メッセージまたは前記第２のダウンリンク制御情報メッセージを受信した送信間隔の後に続く、ステップをさらに含む方法。
【請求項１４】
請求項１０から１３のいずれか一項に記載の方法であって、前記第１のダウンリンク制御情報メッセージは、第１の調整指示をさらに含み、前記第２のダウンリンク制御情報メッセージは、第２の調整指示をさらに含み、
前記方法は、
前記第１の移動通信デバイス（１１０）が、前記第１の調整指示によって、前記データパケットと、成功／不成功受信メッセージの前記確認応答および前記制御パケットとの一方または双方を送出するために使用される第１のアップリンク送信電力を調整するステップと、
前記第２の移動通信デバイス（１１０）が、前記第２の調整指示によって、前記データパケットと、成功／不成功受信メッセージの前記確認応答および前記制御パケットとの一方または双方を送出するために使用される第２のアップリンク送信電力を調整するステップと
をさらに含む、方法。
【請求項１５】
請求項３から１４のいずれか一項に記載の方法であって、前記直接デバイスツーデバイス通信の間に、
前記第２のトランシーバ局が、前記第２の移動通信デバイス（１１５）に対して、第１の復調基準信号、好ましくはＤＭＲＳを前記第１の移動通信デバイス（１１０）に、前記物理アップリンク共有チャネルによって送出するように指令するステップと、
前記第１の無線トランシーバ局が、前記第１の移動通信デバイス（１１０）から第１の直接チャネル品質インジケータを受信するステップであって、前記第１の直接チャネル品質インジケータは、前記第１の移動通信デバイス（１１０）により、受信される前記第１の復調基準信号に基づいて計算され送出される、ステップと、
前記第１のトランシーバ局が、前記第１の移動通信デバイス（１１０）に対して、第２の復調基準信号を前記第２の移動通信デバイス（１１５）に、前記物理アップリンク共有チャネルによって送出するように指令するステップと、
前記第２の無線トランシーバ局が、前記第２の移動通信デバイス（１１５）から第２の直接チャネル品質インジケータを受信するステップであって、前記第２の直接チャネル品質インジケータは、前記第２の移動通信デバイス（１１５）により、前記第２の復調基準信号に基づいて計算され送出される、ステップと
をさらに含む方法。
【請求項１６】
請求項１５に記載の方法であって、前記直接デバイスツーデバイス通信の間に、
前記移動通信ネットワーク（１００）が、第１の変調およびコーディングスキーム、好ましくはＭＣＳを、データパケットを前記物理アップリンクデータチャネルによって前記第１の移動通信デバイス（１１０）から前記第２の移動通信デバイス（１１５）に向けて送出するために、前記第１の直接チャネル品質インジケータに基づいて決定するステップと、
前記移動通信ネットワーク（１００）が、前記第１の変調およびコーディングスキームを、前記第１の移動通信デバイス（１１０）および前記第２の移動通信デバイス（１１５）に提供するステップと、
前記移動通信ネットワーク（１００）が、第２の変調およびコーディングスキームを、データパケットを前記物理アップリンクデータチャネルによって前記第２の移動通信デバイス（１１５）から前記第１の移動通信デバイス（１１０）に向けて送出するために、前記第２の直接チャネル品質インジケータに基づいて決定するステップと、
前記移動通信ネットワーク（１００）が、前記第２の変調およびコーディングスキームを、前記第２の移動通信デバイス（１１５）に、および、前記第１の移動通信デバイス（１１０）に提供するステップと
をさらに含む方法。
【請求項１７】
請求項１５または１６に記載の方法であって、前記直接デバイスツーデバイス通信の間に、
前記第１の無線トランシーバ局が、第１のダウンリンク基準信号、好ましくはＣＲＳを前記第１の移動通信デバイス（１１０）に、物理ダウンリンク制御チャネル、好ましくはＰＤＣＣＨによって送出するステップと、
前記第１の無線トランシーバ局が、前記第１の直接チャネル品質インジケータと第１のセルラーチャネル品質インジケータとを、交互に、あらかじめ決定された周期によって送出するように前記第１の移動通信デバイス（１１０）に指令するステップであって、前記第１のセルラーチャネル品質インジケータは、前記第１の移動通信デバイス（１１０）により、前記第１のダウンリンク基準信号に基づき計算され送出される、ステップと、
前記第２の無線トランシーバ局が、第２のダウンリンク基準信号を前記第２の移動通信デバイス（１１５）に、前記物理ダウンリンク制御チャネルによって送出するステップと、
前記第２の無線トランシーバ局が、前記第２の移動通信デバイス（１１５）に対して、前記第２の直接チャネル品質インジケータと第２のセルラーチャネル品質インジケータとを、交互に、前記あらかじめ決定された周期によって送出するように指令するステップであって、前記第２のセルラーチャネル品質インジケータは、前記第２の移動通信デバイス（１１５）により、前記第２のダウンリンク基準信号に基づき計算され送出される、ステップと
をさらに含む方法。
【請求項１８】
請求項１７に記載の方法であって、前記直接デバイスツーデバイス通信の間に、
前記移動通信ネットワーク（１００）が、前記第１の直接チャネル品質インジケータを、前記第１のセルラーチャネル品質インジケータと比較するステップと、
前記第１の直接チャネル品質インジケータが前記第１のセルラーチャネル品質インジケータより低いと、前記比較することが明らかにする場合に、
前記移動通信ネットワーク（１００）が、前記第１の移動通信デバイスおよび前記第２の移動通信デバイス（１１０、１１５）による、それぞれの基準信号、好ましくはＳＲＳまたはＤＭＲＳの送信をトリガするステップと、
前記移動通信ネットワーク（１００）が、送信される前記基準信号を測定するステップと、
前記第１の無線トランシーバ局が、前記第２の移動通信デバイス（１１５）に向けて
の前記第１の移動通信デバイス（１１０）の通信の、前記移動通信ネットワーク（１００）の前記無線トランシーバ局を通過する通信への切り替えを、前記測定の内容に基づき指令するステップと、
前記移動通信ネットワーク（１００）が、前記第２の直接チャネル品質インジケータを、前記第２のセルラーチャネル品質インジケータと比較するステップと、
前記第１の直接チャネル品質インジケータが前記第１のセルラーチャネル品質インジケータより低いと、前記比較することが明らかにする場合に、
前記移動通信ネットワーク（１００）が、前記第１の移動通信デバイスおよび前記第２の移動通信デバイス（１１０、１１５）による、それぞれの基準信号、好ましくはＳＲＳまたはＤＭＲＳの前記送信をトリガするステップと、
前記移動通信ネットワーク（１００）が、送信される前記基準信号を測定するステップと、
前記第２の無線トランシーバ局が、前記第１の移動通信デバイス（１１０）に向けての前記第２の移動通信デバイス（１１５）の通信の、前記移動通信ネットワーク（１００）の前記無線トランシーバ局を通過する通信への切り替えを、前記測定の内容に基づき指令するステップと
をさらに含む方法。
【請求項１９】
請求項１から１８のいずれか一項に記載の方法であって、前記直接デバイスツーデバイス通信の間に、請求項１のステップａ）からｅ）を周期的に反復するステップと、前記第２の移動通信デバイス（１１５）に向けての前記第１の移動通信デバイス（１１０）の通信の、前記移動通信ネットワーク（１００）の前記無線トランシーバ局を通過する通信への切り替えを、前記第２の移動通信デバイス（１１５）に向けての前記第１の移動通信デバイス（１１０）の前記直接デバイスツーデバイス通信が、前記移動通信ネットワーク（１００）の前記無線トランシーバ局を通過する通信に比べて、前記第１の移動通信デバイス（１１０）に対するより高い送信電力を要すると前記比較することが明らかにする場合に、前記第１の無線トランシーバ局が指令するステップとをさらに含む方法。
【請求項２０】
請求項３から１９のいずれか一項に記載の方法であって、前記直接デバイスツーデバイス通信の間に、請求項２のステップｇ）からｍ）を周期的に反復するステップと、
前記第１の移動通信デバイス（１１０）に向けての前記第２の移動通信デバイス（１１５）の通信の、前記移動通信ネットワーク（１００）の前記無線トランシーバ局を通過する通信への切り替えを、前記第１の移動通信デバイス（１１０）に向けての前記第２の移動通信デバイス（１１５）の前記直接デバイスツーデバイス通信が、前記移動通信ネットワーク（１００）の前記無線トランシーバ局を通過する通信より、前記第２の移動通信デバイス（１１５）に対するより高い送信電力を要すると、前記比較することが明らかにする場合に、前記第２の無線トランシーバ局が指令するステップと
をさらに含む、方法。
【請求項２１】
請求項１９または２０に記載の方法であって、前記第１の測定により得られたものと前記第２の測定により得られたものとを比較する（２３５；４４５）前記ステップは、前記第１の測定により得られたものに対する前記第２の測定により得られたものの第１の比を、前記第１のしきい値より低い第２のしきい値と比較するステップを含み、前記第３の測定により得られたものと前記第４の測定により得られたものとを比較する（２７５；４９５）前記ステップは、前記第３の測定により得られたものに対する前記第４の測定により得られたものの第２の比を前記第２のしきい値と比較するステップを含み、
前記第１の比が前記第２のしきい値より低い場合に、前記第１の無線トランシーバ局は、前記第２の移動通信デバイス（１１５）に向けての前記第１の移動通信デバイス（１１０）の通信の、前記移動通信ネットワーク（１００）の前記無線トランシーバ局を通過する通信への前記切り替えを指令し、
前記第２の比が前記第２のしきい値より低い場合に、前記第２の無線トランシーバ局は、前記第１の移動通信デバイス（１１０）に向けての前記第２の移動通信デバイス（１１５）の通信の、前記移動通信ネットワーク（１００）の前記無線トランシーバ局を通過する通信への前記切り替えを指令する、
方法。
【請求項２２】
移動通信デバイス（１１０、１１５）にサービスする複数の無線トランシーバ局を含む移動通信ネットワーク（１００）を動作させる方法であって、前記移動通信ネットワーク（１００）は、移動通信デバイス（１１０、１１５）間の通信を管理し、前記方法は、
ａ）前記複数の無線トランシーバ局のうちの無線トランシーバ局が、第１の移動通信デバイス（１１０）に対して、プローブ信号の送信を指令する（２０５；４０５）ステップと、
ｂ）前記無線トランシーバ局が、第２の移動通信デバイス（１１５）に対して、前記第１の移動通信デバイス（１１０）により送信される前記プローブ信号を受信するために、前記第２の移動通信デバイス（１１５）に有用なパラメータを提供する（２１０；４１０、４１５）ステップと、
ｃ）前記無線トランシーバ局が、前記第１の移動通信デバイス（１１０）により送信される前記プローブ信号の第１の測定を行う（２２０；４２５）ステップと、
ｄ）前記無線トランシーバ局が、前記第１の移動通信デバイス（１１０）により送信される前記プローブ信号の第２の測定により得られたものを受信する（２３０；４３５、４４０）ステップであって、前記第２の測定は前記第２の移動通信デバイス（１１５）により行われる、ステップと、
ｅ）前記無線トランシーバ局が、前記第１の測定により得られたものと前記第２の測定により得られたものとを比較する（２３５；４４５）ステップと、
ｆ）前記無線トランシーバ局が、前記第２の移動通信デバイス（１１５）に対して、前記プローブ信号の前記送信を指令する（２４５；４５５）ステップと、
ｇ）前記無線トランシーバ局が、前記第１の移動通信デバイス（１１０）に対して、前記第２の移動通信デバイス（１１５）により送信される前記プローブ信号を受信するために、前記第１の移動通信デバイス（１１０）に有用なパラメータを提供する（２５０；４６０、４６５）ステップと、
ｈ）前記無線トランシーバ局が、前記第２の移動通信デバイス（１１５）により送信される前記プローブ信号の第３の測定を行う（２６５；４７５）ステップと、
ｉ）前記無線トランシーバ局が、前記第２の移動通信デバイス（１１５）により送信される前記プローブ信号の第４の測定により得られたものを受信する（２７０；４８５、４９０）ステップであって、前記第４の測定は前記第１の移動通信デバイス（１１０）により行われる、ステップと、
ｌ）前記無線トランシーバ局が、前記第３の測定により得られたものと前記第４の測定により得られたものとを比較する（２７５；４９５）ステップと、
ｍ）前記第１の測定により得られたものを前記第２の測定により得られたものと比較する前記ステップの結果、および、前記第３の測定により得られたものを前記第４の測定により得られたものと比較する前記ステップの結果に基づいて、
前記無線トランシーバ局が、前記第２の移動通信デバイス（１１５）に向けての前記第１の移動通信デバイス（１１０）の通信、および、前記第１の移動通信デバイス（１１０）に向けての前記第２の移動通信デバイス（１１５）の通信の、前記移動通信ネットワーク（１００）の前記無線トランシーバ局を通過する通信から、直接デバイスツーデバイス通信への切り替え、もしくは、その逆の切り替えを指令するか、または、
前記無線トランシーバ局が、前記第２の移動通信デバイス（１１５）に向けての前記第１の移動通信デバイス（１１０）の通信、もしくは、前記第１の移動通信デバイス（１１０）に向けての前記第２の移動通信デバイス（１１５）の通信の、前記移動通信ネットワーク（１００）の前記無線トランシーバ局を通過する通信から、前記直接デバイスツーデ
バイス通信への切り替え、もしくは、その逆の切り替えを指令するか、または、
前記無線トランシーバ局が、前記第２の移動通信デバイス（１１５）に向けての前記第１の移動通信デバイス（１１０）の通信、および、前記第１の移動通信デバイス（１１０）に向けての前記第２の移動通信デバイス（１１５）の通信を、前記移動通信ネットワーク（１００）の前記無線トランシーバ局を通過する通信として、もしくは、前記直接デバイスツーデバイス通信として維持する
ステップと
を含む、方法。
【請求項２３】
移動通信デバイス（１１０、１１５）間の通信を管理するように構成された移動通信ネットワーク（１００）であって、複数の無線トランシーバ局を含み、請求項１から２２のいずれか一項に記載の方法を実施するように構成された移動通信ネットワーク（１００）。
【請求項２４】
移動通信ネットワーク（１００）によって通信するように構成された移動通信デバイス（１１０、１１５）を動作させる方法であって、前記移動通信ネットワーク（１００）は、移動通信デバイス（１１０、１１５）にサービスするための複数の無線トランシーバ局を含み、前記方法は、
ａ）前記移動通信デバイス（１１０、１１５）が、前記移動通信デバイス（１１０、１１５）にサービスしている、前記複数の無線トランシーバ局のうちのサービング無線トランシーバ局からの指令に応答して、プローブ信号を送信する（２０５；４０５）ステップと、
ｂ）前記移動通信デバイス（１１０、１１５）が、さらなる移動通信デバイス（１１５、１１０）により送信されるプローブ信号を受信するために、前記移動通信デバイス（１１０、１１５）に有用なパラメータを受信するステップであって、前記パラメータは前記サービング無線トランシーバ局により提供される、ステップと、
ｃ）前記移動通信デバイス（１１０、１１５）が、前記さらなる移動通信デバイス（１１５、１１０）により送信されるプローブ信号の測定を行う（２２５；４３０）ステップと、
ｄ）前記移動通信デバイス（１１０、１１５）が、前記サービング無線トランシーバ局に対して、前記さらなる移動通信デバイス（１１５、１１０）により送信される前記プローブ信号の前記測定により得られたものを提供する（２３０；４３５、４４０）ステップと、
ｅ）前記移動通信デバイス（１１０、１１５）が、前記さらなる移動通信デバイス（１１５、１１０）に向けての通信、および、前記さらなる移動通信デバイスからの通信のうちの一方または双方を、直接デバイスツーデバイス通信に、前記サービング無線トランシーバ局からの指令に応答して切り替えるか、または、
ｆ）前記移動通信デバイス（１１０、１１５）が、前記さらなる移動通信デバイス（１１５、１１０）に向けての通信を、前記移動通信ネットワーク（１００）の前記無線トランシーバ局を通過する通信に、前記無線トランシーバ局からの指令に応答して切り替えるステップと
を含む、方法。
【請求項２５】
請求項２４に記載の方法であって、前記プローブ信号の前記測定は、前記プローブ信号の強度の測定である、方法。
【請求項２６】
請求項２４または２５に記載の方法であって、前記直接デバイスツーデバイス通信の間に、
前記移動通信デバイス（１１０、１１５）が、データパケットを、直接前記さらなる移動通信デバイス（１１５、１１０）に、物理アップリンク共有チャネル、好ましくはＰＵ
ＳＣＨによって送出するステップ
を含む、方法。
【請求項２７】
請求項２６に記載の方法であって、前記直接デバイスツーデバイス通信の間に、
前記移動通信デバイス（１１０、１１５）が、前記さらなる移動通信デバイス（１１５、１１０）から直接受信されるデータパケットに対する成功／不成功受信メッセージの確認応答を、前記移動通信ネットワーク（１００）の前記サービング無線トランシーバ局に送出するステップと、
前記移動通信デバイス（１１５、１１０）が、前記移動通信デバイス（１１０、１１５）から前記さらなる移動通信デバイス（１１５、１１０）に送出されるデータパケットに対する、前記移動通信ネットワーク（１００）により転送される成功／不成功受信メッセージの前記確認応答を受信するステップと
をさらに含む方法。
【請求項２８】
請求項２７に記載の方法であって、
成功／不成功受信メッセージの確認応答を送出する前記ステップは、前記移動通信デバイス（１１０、１１５）が、成功／不成功受信メッセージの前記確認応答を、前記移動通信ネットワーク（１００）に、物理アップリンク制御チャネル、好ましくはＰＵＣＣＨによって送信するステップを含み、
前記移動通信デバイス（１１０、１１５）が、成功／不成功受信メッセージの前記確認応答を受信する前記ステップは、前記移動通信デバイス（１１０、１１５）が、成功／不成功受信メッセージの前記確認応答を、受信専用ダウンリンク物理チャネル、好ましくはＰＨＩＣＨによって受信するステップを含む、
方法。
【請求項２９】
請求項２６から２８のいずれか一項に記載の方法であって、成功／不成功受信メッセージの確認応答を送出する前記ステップは、前記移動通信デバイス（１１０、１１５）が、成功／不成功受信メッセージの前記確認応答を、前記さらなる移動通信デバイス（１１５、１１０）に、データアップリンク物理チャネル（ＰＵＳＣＨ）によって送信するステップをさらに含む、方法。
【請求項３０】
請求項２６から２９のいずれか一項に記載の方法であって、前記直接デバイスツーデバイス通信の間に、
前記移動通信デバイス（１１０、１１５）が、復調基準信号、好ましくはＤＭＲＳを、前記さらなる移動通信デバイス（１１５、１１０）から、前記物理アップリンク共有チャネルによって受信するステップと、
前記移動通信デバイス（１１０、１１５）が、直接チャネル品質インジケータを、受信される前記復調基準信号に基づいて決定するステップと、
前記移動通信デバイス（１１０、１１５）が、前記直接チャネル品質インジケータを前記サービング無線トランシーバ局に送出するステップと
をさらに含む方法。
【請求項３１】
請求項３０に記載の方法であって、前記直接デバイスツーデバイス通信の間に、
前記移動通信デバイス（１１０、１１５）が、前記サービング無線トランシーバ局から、ダウンリンク基準信号、好ましくはＣＲＳを、物理ダウンリンク制御チャネル、好ましくはＰＤＣＣＨによって受信するステップと、
前記移動通信デバイス（１１０、１１５）が、セルラーチャネル品質インジケータを、受信される前記ダウンリンク基準信号に基づいて決定するステップと、
前記移動通信デバイス（１１０、１１５）が、前記サービング無線トランシーバ局に対して、前記直接チャネル品質インジケータおよび前記セルラーチャネル品質インジケータ
を、交互に、あらかじめ決定された周期によって送出するステップと
をさらに含む方法。
【請求項３２】
移動通信デバイス（１１０、１１５）であって、少なくともさらなる移動通信デバイス（１１５、１１０）との直接デバイスツーデバイス通信を行う能力があり、請求項２４から３１のいずれか一項に記載の方法を実施するように構成された移動通信デバイス（１１０、１１５）。
【請求項３３】
請求項３２に記載の移動通信デバイス（１１０、１１５）であって、第１の組み合わせ要素（１０１５）と第２の組み合わせ要素（１０２０）とを有するアップリンク送信器（１００５）を含み、前記第１の組み合わせ要素（１０１５）は、制御情報を第１の電力スケーリング因子と組み合わせ、前記第２の組み合わせ要素（１０２０）は、前記直接デバイスツーデバイス通信のデータ情報を第２の電力スケーリング因子と組み合わせるようにそれぞれ構成された、移動通信デバイス（１１０、１１５）。
【発明の詳細な説明】
【技術分野】
【０００１】
本発明は、通信システムに言及するものである。より詳細には、本発明は、ワイヤレスまたは移動電気通信ネットワークの分野に関係する。さらに詳細には、本発明は、移動通信デバイスの間の直接通信（デバイスツーデバイス通信、または、Ｄ２Ｄ通信）の管理に関係する。
【背景技術】
【０００２】
一般的には移動（セルラー）電気通信ネットワークでは、移動通信デバイス（例えば、移動電話、スマートフォン、および、タブレット）  −  一般的にはユーザ機器、または手短にＵＥと称される  −  の間の通信は、電気通信ネットワークを通過するものであり、ネットワークのそれぞれの「サービング」無線トランシーバまたは「サービング」セル（例えば、３ＧＰＰロングタームエボリューション（ＬＴＥ）／ＬＴＥアドバンスト（ＬＴＥ−Ａ）システムにおける、同じまたは異なるｅノードＢ  −  発展型ノードＢ  −  の無線トランシーバ）に接続される２つのＵＥは、無線トランシーバとＵＥとの間でセットアップされ終結させられる物理通信チャネルによって互いと通信する。
【０００３】
本明細書で以後「セルラー通信」とも称される、そのような従来の「２ホップ」通信に対する代替方法として、最近では、比較的に短距離内に偶然存在するときに、それらの間で直接通信することもできるＵＥが利用可能になっている。
【０００４】
この直接無線通信は、よく「デバイスツーデバイス」またはＤ２Ｄ通信と称されるものであり、２つ（以上）のＵＥにより直接確立されるＤ２Ｄ通信リンクに基づく。Ｄ２Ｄ通信は、情報が、ネットワークを通過することなく、直接ＵＥ間でセットアップされ終結させられる物理通信チャネルによって交換されるという点で、従来のセルラー通信と異なる。
【０００５】
特に、Ｄ２Ｄ通信リンクは、ＵＥにより、それぞれのサービング無線トランシーバから独立して（または原理的に、無線トランシーバとのＵＥの接続がなくとも）確立され得る。
【０００６】
直接通信するＵＥ間のＤ２Ｄ通信リンクは、一般的には、セルラー通信で使用される通信周波数範囲で構成される周波数によって確立される。ネットワーク、すなわち、無線トランシーバは一般に、Ｄ２Ｄ通信に対する制御を有さず、何らかのそのようなＤ２Ｄ通信が、カバレッジのそれらの無線トランシーバの地理的エリア内のＵＥ間で起こっているかどうかを認識していない。したがって無視できない干渉が、Ｄ２Ｄ通信を実施するＵＥに近接してセルラー通信を実施するＵＥにより、ならびに特に、ＵＥがセルラー通信を、Ｄ２Ｄ通信リンクのために使用される、同じおよび／または近隣の周波数によって実施するときに経験され得るものであり、その逆に、Ｄ２Ｄ通信を実施するＵＥは、セルラー通信を同じまたは近隣の周波数によって実施する付近のＵＥに起因する干渉を経験し得る。
【０００７】
セルラー通信を実施するＵＥ、および、Ｄ２Ｄ通信を実施するＵＥにより経験される相互干渉は、セルラー通信およびＤ２Ｄ通信の両方の全体的な悪化を引き起こす。
【０００８】
上記で述べられた問題を軽減するためのいくつかの方策が、当技術分野で提案されている。
【０００９】
例えば米国特許出願公開第２０１０／０００９６７５号は、デバイスツーデバイス通信
をワイヤレスネットワークで確立するための装置、方法、および、コンピュータプログラムを開示する。方法は、起動メッセージを第１のデバイスから送出して、第２のデバイスとのデバイスツーデバイス通信を起動するステップと、デバイスツーデバイス通信に対する無線リソースをセットアップするための要求を指示するメッセージを受信するステップと、メッセージを第２のデバイスに送出するステップであって、メッセージが、デバイスツーデバイス通信に対するリソースをセットアップするための要求を含む、送出するステップと、リソースを使用して第２のデバイスとのデバイスツーデバイス通信を確立することに応答して、デバイスツーデバイス通信が確立されるという確認応答を送出するステップとを含む。
【００１０】
米国特許出願公開第２０１２／０２５８７０３号は、通信する移動デバイス間のセルラー接続の確立に先行する、デバイスツーデバイス（Ｄ２）潜在性の検出および評価のための解決策を開示する。発信する移動デバイスのセルラー無線アクセスネットワーク情報が、セルラーデータ通信のセッション起動シグナリングの受信されるセッション確立メッセージから取得される。発信する移動デバイスの取得されるセルラー無線アクセスネットワーク情報が、着信する移動デバイスの入手されるセルラー無線アクセスネットワーク情報と比較される。比較に基づいて、発信する移動デバイスと着信する移動デバイスとの間の近接性が、発信する移動デバイスと着信する移動デバイスとの間のローカル・セルラー・デバイスツーデバイス・データ通信を可能とするのに十分であるかどうかが検出される。
【００１１】
ＷＯ２０１１／０４７９５６は、デバイスツーデバイス接続確立を容易にするための方法、装置、および、システムを開示する。方法は、デバイスツーデバイス登録エリア識別情報の、そのデバイスツーデバイス登録エリア識別情報により識別されるデバイスツーデバイス登録エリアを形成する１つまたは複数のセルの各々での指示のブロードキャストを指図するステップを含み得る。方法は、ブロードキャスト指示に応答して第１の端末装置により発信されるデバイスツーデバイス登録要求の受信を指図するステップをさらに含み得る。第１の端末装置は、登録エリアの内部に配置され得る。方法は加えて、第１の端末装置を、デバイスツーデバイス登録要求に少なくとも部分的に基づいて登録するステップを含み得る。対応する装置およびシステムもまた提供される。
【００１２】
ＷＯ２０１２／１１４１６１は、ワイヤレスが可能にされる通信環境の内部のクライアントノードの近接性を決定するためのデバイスおよび方法を開示する。第１のクライアントノードは、複数のワイヤレスネットワークアクセスノードに関連付けられる識別情報データ、ならびに、クライアントノードおよび複数の第２のクライアントノードに関連付けられるフィンガープリントデータを含んでいるデータベースを備える。フィンガープリント情報が更新される際に、それは、第１のクライアントノードにより、一致する、または同様のフィンガープリント情報を有する第２のクライアントノードを識別するために処理される。かなうものが、存立可能なデバイスツーデバイス（Ｄ２Ｄ）通信範囲内にあると決定される。
【００１３】
ＷＯ２０１０／０４９８０１は、ワイヤレス通信システム内の複数のワイヤレス通信デバイス間の直接デバイスツーデバイス通信に対する通信リソースの割当てを動的に管理するための装置、システム、および、方法を開示する。１つの実施形態では装置は、デバイスツーデバイスグループを形成する複数のワイヤレス通信デバイスのマスタ通信デバイスを選択することと、それらのワイヤレス通信デバイス間の直接デバイスツーデバイス通信を容易にする、デバイスツーデバイスグループに対する通信リソースの割当てを提供することとを行うように構成される、通信リソースアロケータを含む。装置はさらには、通信リソースの割当てを含むメッセージを組み立てるように構成されるメッセージ生成器を含む。
【００１４】
ＷＯ２０１２／０１５６９８は、ワイドエリアネットワーク（ＷＡＮ）でピアツーピア（Ｐ２Ｐ）通信をサポートするための技法を開示する。ある態様では、Ｐ２Ｐ通信に関与するＰ２Ｐデバイスと、ＷＡＮ通信に関与するＷＡＮデバイスとの間の干渉コーディネーションが、ネットワーク制御されるアーキテクチャに基づいて実施され得る。ネットワーク制御されるアーキテクチャに対して、Ｐ２Ｐデバイスは、他のＰ２Ｐデバイスおよび／またはＷＡＮデバイスを検出し得るものであり、検出されるデバイスに対する（例えば、パス損失、干渉、その他に対する）測定内容をＷＡＮ（例えば、サービング基地局）に送出し得る。ＷＡＮは、Ｐ２Ｐデバイスに対するリソース区分および／または関連付けを、測定内容に基づいて実施し得る。関連付けは、所与のＰ２Ｐデバイスに対するＰ２Ｐ通信またはＷＡＮ通信の選択を含み得る。リソース区分は、Ｐ２Ｐ通信に対するＰ２Ｐデバイスのグループへのリソースの割当てを含み得る。ＷＡＮは、関連付けおよび／またはリソース区分の結果をＰ２Ｐデバイスに送出し得るものであり、それらのＰ２Ｐデバイスは、関連付けおよび／またはリソース区分結果によって通信し得る。
【００１５】
ＷＯ２０１１／０３６５０７は、デバイスツーデバイスリンクと２ホップセルラーリンクとの間で選択するための、コンピュータプログラム製品を含む、方法および装置を提供する。１つの態様では、方法が提供される。方法は、ユーザ機器でページング信号を監視するステップであって、ページング信号が、別のユーザ機器に割り当てられる（ａｓｓｉｇｎｅｄ）ランダムアクセスプリアンブルインデックスを含む、監視するステップを含み得る。ユーザ機器は、別のユーザ機器に割り当てられるランダムアクセスプリアンブルインデックスを使用することと、ランダムアクセスプリアンブルを含む信号を受信することとを行うように構成され得る。ユーザ機器は、受信される信号を測定して、受信される信号の品質を表す指示を生成し得る。専用プローブではなくその指示に基づいて、決定が、別のユーザ機器に対して直接第１の接続を確立すべきかどうかに関して行われ得る。関係付けられる装置、システム、方法、および、物品が、さらに説明される。
【発明の概要】
【発明が解決しようとする課題】
【００１６】
出願人は、上記で述べられた、知られている解決策は、Ｄ２Ｄ通信の満足のゆく管理を提供できないということを見出しており、その理由は、電気通信ネットワークは、それらのＤ２Ｄ通信の全体の実行を適正に監督すること、および、Ｄ２Ｄ通信の間に交換されるデータの量を制御することが可能でないからというものである。
【００１７】
したがって出願人は、Ｄ２Ｄ通信を実施するＵＥが移動通信ネットワークのカバレッジのエリア内に配置されるときに、Ｄ２Ｄ通信を可能な限り移動通信ネットワークの制御下に置くように適合されるシステムおよび方法を考案する問題に対処してきた。
【課題を解決するための手段】
【００１８】
本発明の実施形態によるＤ２Ｄ通信制御により、移動通信ネットワークは、Ｄ２Ｄ通信の状態のＵＥに対する送信リソース（送信電力、送信帯域幅、その他）を、セルラー通信の状態のＵＥに対する送信リソースとともに直接制御することが可能である。したがって移動通信ネットワークは、Ｄ２Ｄ通信とセルラー通信との間の干渉を低減するために、および、無線リソースの電力スペクトル効率（すなわち、所与の帯域幅によって特定の通信システムで送信され得るデータレート）を最適化するために、無線リソースを効率的に割当てることが可能である。
【００１９】
特に、本発明の１つの態様は、移動通信ネットワークを動作させる方法を提案する。移動通信ネットワークは、移動通信デバイスにサービスする複数の無線トランシーバ局を備え、移動通信ネットワークは、移動通信デバイス間の通信を管理する。方法は、以下のステップを含む。前記複数の無線トランシーバ局のうちの第１の無線トランシーバ局に、そ
の第１の無線トランシーバ局によりサービスされる第１の移動通信デバイスに対して、プローブ信号の送信を指令することを行わせるステップ。第１の無線トランシーバ局に、第２の移動通信デバイスに対して、第１の移動通信デバイスにより送信されるプローブ信号を受信するために、第２の移動通信デバイスに有用なパラメータを提供することを行わせるステップ。第１の無線トランシーバ局に、第１の移動通信デバイスにより送信されるプローブ信号の第１の測定を実施することを行わせるステップ。第１の無線トランシーバ局に、第１の移動通信デバイスにより送信されるプローブ信号の第２の測定を受信することを行わせるステップであって、第２の測定内容が第２の移動通信デバイスにより実施される、行わせるステップ。第１の無線トランシーバ局に、第１の測定および第２の測定を比較することを行わせるステップ。第１の無線トランシーバ局に、直接デバイスツーデバイス通信への、第２の移動通信デバイスに向けての第１の移動通信デバイスの通信の切り替えを、前記比較することの結果に基づいて指令することを行わせるステップ。
【００２０】
本発明の好まれる特徴が、従属請求項に記載される。
【００２１】
本発明の１つの実施形態では、プローブ信号の第１の測定および第２の測定は、前記プローブ信号の強度の測定であり、第１の無線トランシーバ局は、第２の移動通信デバイスに向けての第１の移動通信デバイスのそのような直接デバイスツーデバイス通信が移動通信ネットワークの無線トランシーバ局を通過する通信と比較して第１の移動通信デバイスに対する送信電力の低減をもたらすということを前記比較することが明らかにする場合に、第２の移動通信デバイスに向けての第１の移動通信デバイスの通信の切り替えを指令する。
【００２２】
本発明の１つの実施形態では、方法は、以下のステップをさらに含む。第２の移動通信デバイスにサービスする前記複数の第２の無線トランシーバ局に、第２の移動通信デバイスに対して、プローブ信号の送信を指令することを行わせるステップ。第２の無線トランシーバ局に、第１の移動通信デバイスに対して、第２の移動通信デバイスにより送信されるプローブ信号を受信するために、第１の移動通信デバイスに有用なパラメータを提供することを行わせるステップ。第２の無線トランシーバ局に、第２の移動通信デバイスにより送信されるプローブ信号の第３の測定を実施することを行わせるステップ。第２の無線トランシーバ局に、第２の移動通信デバイスにより送信されるプローブ信号の第４の測定を受信することを行わせるステップであって、第４の測定が第１の移動通信デバイスにより実施される、行わせるステップ。第２の無線トランシーバ局に、第３の測定および第４の測定を比較することを行わせるステップ。第２の無線トランシーバ局に、直接デバイスツーデバイス通信への、第１の移動通信デバイスに向けての第２の移動通信デバイスの通信の切り替えを、前記比較することの結果に基づいて指令することを行わせるステップ。
【００２３】
本発明の１つの実施形態では、プローブ信号の第３の測定および第４の測定は、前記プローブ信号の強度の測定であり、第２の無線トランシーバ局は、第１の移動通信デバイスに向けての第２の移動通信デバイスのそのような直接デバイスツーデバイス通信が移動通信ネットワークの無線トランシーバ局を通過する通信と比較して第２の移動通信デバイスに対する送信電力の低減をもたらすということを前記比較することが明らかにする場合に、第２の移動通信デバイスに向けての第２の移動通信デバイスの通信の切り替えを指令する。
【００２４】
本発明のさらなる実施形態では、第１の無線トランシーバ局に、その第１の無線トランシーバ局によりサービスされる第１の移動通信デバイスに対して、プローブ信号の送信を指令することを行わせるステップ、および、第２の移動通信デバイスにサービスする第２の無線トランシーバ局に、第２の移動通信デバイスに対して、プローブ信号の送信を指令することを行わせるステップは、第１および第２の無線トランシーバ局に、それぞれ、第
１および第２の移動通信デバイスに対して、前記プローブ信号を移動通信ネットワークのネットワーク物理ランダムアクセスチャネルによって送信するように指令することを行わせるステップを含み、好ましくは、プローブ信号は、移動通信ネットワーク要求信号へのアクセスの要求の信号であり、さらに好ましくは、プローブ信号は、ＰＲＡＣＨによって送信される。
【００２５】
本発明の１つの実施形態では、第１の測定および第２の測定を前記比較することは、第１の測定に対する第２の測定の第１の比を第１のしきい値と比較するステップを含み、第３の測定および第４の測定を前記比較することは、第３の測定に対する第４の測定の第２の比を第１のしきい値と比較するステップを含む。前記第１の比が前記第１のしきい値を上回る場合に、第１の無線トランシーバ局に、直接デバイスツーデバイス通信への、第２の移動通信デバイスに向けての第１の移動通信デバイスの通信の切り替えを指令することを行わせるステップ、および、前記第２の比が前記第１のしきい値を上回る場合に、第２の無線トランシーバ局に、直接デバイスツーデバイス通信への、第１の移動通信デバイスに向けての第２の移動通信デバイスの通信の切り替えを指令することを行わせるステップ。
【００２６】
本発明のさらなる実施形態での、前記直接デバイスツーデバイス通信の間に、移動通信ネットワークに、第１の移動通信デバイスおよび第２の移動通信デバイスの中の少なくとも１つに対して、データパケットを直接第２または第１の移動通信デバイスに、物理アップリンク共有チャネル、好ましくはＰＵＳＣＨによって送出するように指令することを行わせるステップ。
【００２７】
本発明の１つの実施形態では、方法は、前記直接デバイスツーデバイス通信の間に、移動通信ネットワークの第１および第２の無線トランシーバ局に、それぞれ、第２および第１の移動通信デバイスから直接受信されるデータパケットに対して、それぞれ、第１および第２の移動通信デバイスから送出される成功／不成功受信メッセージの送出確認応答を受信することを行わせるステップと、移動通信ネットワークに、成功／不成功受信メッセージの確認応答を、それぞれ、第２の移動通信デバイスおよび第１の移動通信デバイスに転送することを行わせるステップとをさらに含む。
【００２８】
本発明によるさらなる実施形態では、成功／不成功受信メッセージの確認応答を前記受信することは、第１および第２の無線トランシーバ局に、成功／不成功受信メッセージの確認応答を、物理アップリンク制御チャネル、好ましくはＰＵＣＣＨによって受信することを行わせるステップを含み、移動通信ネットワークに、成功／不成功受信メッセージの確認応答を転送することを行わせる前記ステップは、移動通信ネットワークに、成功／不成功受信メッセージの確認応答を、受信専用ダウンリンク物理チャネル、好ましくはＰＨＩＣＨによって送信することを行わせるステップを含む。
【００２９】
本発明の１つの実施形態では、方法は、前記直接デバイスツーデバイス通信の間に、第１の無線トランシーバ局に、第１のダウンリンク制御情報メッセージ、好ましくはＤＣＩを、第１の移動通信デバイスに送出することと、第２の移動通信デバイスに転送することとを行わせるステップであって、第１のダウンリンク制御情報メッセージが、データパケットを物理アップリンク共有チャネルによって第２の移動通信デバイスに送出するために第１の移動通信デバイスに割当てられる（ａｌｌｏｃａｔｅｄ）リソースの第１の指示を含む、行わせるステップと、第２の無線トランシーバ局に、第２のダウンリンク制御情報メッセージを、第２の移動通信デバイスに送出することと、第１の移動通信デバイスに転送することとを行わせるステップであって、第２のダウンリンク制御情報メッセージが、データパケットを物理アップリンク共有チャネルによって第１の移動通信デバイスに送出するために第２の移動通信デバイスに割当てられるリソースの第２の指示を含む、行わせ
るステップとをさらに含む。
【００３０】
本発明のさらなる実施形態では、第１のダウンリンク制御情報メッセージは、成功／不成功受信メッセージの確認応答および／または制御パケットを、物理アップリンク制御チャネルによって第１のトランシーバ局に送出するために第１の移動通信デバイスに割当てられるリソースの第１のさらなる指示をさらに含み、第２のダウンリンク制御情報メッセージは、成功／不成功受信メッセージの確認応答および／または制御パケットを、物理アップリンク制御チャネルによって第２のトランシーバ局に送出するために第２の移動通信デバイスに割当てられるリソースの第２のさらなる指示をさらに含む。
【００３１】
本発明の１つの実施形態では、方法は、前記直接デバイスツーデバイス通信の間に、移動通信ネットワークに、送信時間窓のあらかじめ決定された送信間隔を、第１および第２の移動通信デバイスに割当てられるリソースから、データアップリンク物理チャネルによる、および、物理アップリンク制御チャネルによる、それらの第１および第２の移動通信デバイスの送信のために除外することを行わせるステップをさらに含む。
【００３２】
本発明のさらなる実施形態では、方法は、前記直接デバイスツーデバイス通信の間に、移動通信ネットワークに、リソースを第１および／または第２の移動通信デバイスに、送信時間窓のあらかじめ決定された送信間隔で割当てることを行わせるステップであって、前記あらかじめ決定された送信間隔が、第１および／または第２の移動通信デバイスが、それぞれ、第１または第２のダウンリンク制御情報メッセージを受信した送信間隔の後に続く、行わせるステップをさらに含む。
【００３３】
本発明の１つの実施形態では、第１のダウンリンク制御情報メッセージは、第１の調整指示をさらに含み、第２のダウンリンク制御情報メッセージは、第２の調整指示をさらに含み、方法は、第１の移動通信デバイスに、前記第１の調整指示によって、データパケット、ならびに／または、成功／不成功受信メッセージの確認応答および制御パケットを送出するために使用される第１のアップリンク送信電力を調整することを行わせるステップと、第２の移動通信デバイスに、前記第２の調整指示によって、データパケット、ならびに／または、成功／不成功受信メッセージの確認応答および制御パケットを送出するために使用される、第２のアップリンク送信電力を調整することを行わせるステップとをさらに含む。
【００３４】
本発明のさらなる実施形態では、前記直接デバイスツーデバイス通信の間に、方法は、以下のステップをさらに含む。第２のトランシーバ局に、第２の移動通信デバイスに対して、第１の復調基準信号（ｄｅｍｏｄｕｌａｔｉｏｎ  ｒｅｆｅｒｅｎｃｅ  ｓｉｇｎａｌ）、好ましくはＤＭＲＳを第１の移動通信デバイスに、物理アップリンク共有チャネルによって送出するように指令することを行わせるステップ。第１の無線トランシーバ局に、第１の移動通信デバイスから第１の直接チャネル品質インジケータ（ｃｈａｎｎｅｌ  ｑｕａｌｉｔｙ  ｉｎｄｉｃａｔｏｒ）を受信することを行わせるステップであって、第１の直接チャネル品質インジケータが、第１の移動通信デバイスにより、受信される第１の復調基準信号に基づいて計算および送出される、行わせるステップ。第１のトランシーバ局に、第１の移動通信デバイスに対して、第２の復調基準信号を第２の移動通信デバイスに、物理アップリンク共有チャネルによって送出するように指令することを行わせるステップ。第２の無線トランシーバ局に、第２の移動通信デバイスから第２の直接チャネル品質インジケータを受信することを行わせるステップであって、第２の直接チャネル品質インジケータが、第２の移動通信デバイスにより、第２の復調基準信号に基づいて計算および送出される、行わせるステップ。
【００３５】
本発明の１つの実施形態では、前記直接デバイスツーデバイス通信の間に、方法は、以
下のステップをさらに含む。移動通信ネットワークに、第１の変調およびコーディングスキーム（ｍｏｄｕｌａｔｉｏｎ  ａｎｄ  ｃｏｄｉｎｇ  ｓｃｈｅｍｅ）、好ましくはＭＣＳを、データパケットを物理アップリンクデータチャネルによって第１の移動通信デバイスから第２の移動通信デバイスに向けて送出するために、第１の直接チャネル品質インジケータに基づいて決定することを行わせるステップ。移動通信ネットワークに、前記第１の変調およびコーディングスキームを、第１の移動通信デバイスに、および、第２の移動通信デバイスに提供することを行わせるステップ。移動通信ネットワークに、第２の変調およびコーディングスキームを、データパケットを物理アップリンクデータチャネルによって第２の移動通信デバイスから第１の移動通信デバイスに向けて送出するために、第２の直接チャネル品質インジケータに基づいて決定することを行わせるステップ。移動通信ネットワークに、前記第２の変調およびコーディングスキームを、第２の移動通信デバイスに、および、第１の移動通信デバイスに提供することを行わせるステップ。
【００３６】
本発明のさらなる実施形態では、前記直接デバイスツーデバイス通信の間に、方法は、以下のステップをさらに含む。第１の無線トランシーバ局に、第１のダウンリンク基準信号、好ましくはＣＲＳを第１の移動通信デバイスに、物理ダウンリンク制御チャネル、好ましくはＰＤＣＣＨによって送出することを行わせるステップ。第１の無線トランシーバ局に、第１の移動通信デバイスに、第１の直接チャネル品質インジケータ、および、第１のセルラーチャネル品質インジケータを交互に、あらかじめ決定された周期によって送出するように指令することを行わせるステップであって、第１のセルラーチャネル品質インジケータが、第１の移動通信デバイスにより、第１のダウンリンク基準信号を基にして計算および送出される、行わせるステップ。第２の無線トランシーバ局に、第２のダウンリンク基準信号を第２の移動通信デバイスに、物理ダウンリンク制御チャネルによって送出することを行わせるステップ。第２の無線トランシーバ局に、第２の移動通信デバイスに対して、第２の直接チャネル品質インジケータ、および、第２のセルラーチャネル品質インジケータを交互に、あらかじめ決定された周期によって送出するように指令することを行わせるステップであって、第２のセルラーチャネル品質インジケータが、第２の移動通信デバイスにより、第２のダウンリンク基準信号を基にして計算および送出される、行わせるステップ。
【００３７】
本発明の１つの実施形態では、前記直接デバイスツーデバイス通信の間に、方法は、以下のステップをさらに含む。移動通信ネットワークに、第１の直接チャネル品質インジケータを、第１のセルラーチャネル品質インジケータと比較することを行わせるステップ。さらに、第１の直接チャネル品質インジケータが第１のセルラーチャネル品質インジケータより低いということを、前記比較することが明らかにする場合に、移動通信ネットワークに、第１の、および、第２の移動通信デバイスによる、それぞれの基準信号、好ましくはＳＲＳまたはＤＭＲＳの送信をトリガすることを行わせるステップ、移動通信ネットワークに、送信される基準信号を測定することを行わせるステップ、第１の無線トランシーバ局に、移動通信ネットワークの無線トランシーバ局を通過する通信への、第２の移動通信デバイスに向けての第１の移動通信デバイスの通信の切り替えを、前記測定内容を基にして指令することを行わせるステップ、移動通信ネットワークに、第２の直接チャネル品質インジケータを、第２のセルラーチャネル品質インジケータと比較することを行わせるステップ。第１の直接チャネル品質インジケータが第１のセルラーチャネル品質インジケータより低いということを、前記比較することが明らかにする場合に、移動通信ネットワークに、第１の、および、第２の移動通信デバイスによる、それぞれの基準信号、好ましくはＳＲＳまたはＤＭＲＳの送信をトリガすることを行わせるステップ、移動通信ネットワークに、送信される基準信号を測定することを行わせるステップ、ならびに、第２の無線トランシーバ局に、移動通信ネットワークの無線トランシーバ局を通過する通信への、第１の移動通信デバイスに向けての第２の移動通信デバイスの通信の切り替えを、前記測定内容を基にして指令することを行わせるステップ。
【００３８】
本発明のさらなる実施形態では、方法は、前記直接デバイスツーデバイス通信の間に、方法の前述のステップを周期的に反復するステップと、第１の無線トランシーバ局に、第２の移動通信デバイスに向けての第１の移動通信デバイスのそのような直接デバイスツーデバイス通信が移動通信ネットワークの無線トランシーバ局を通過する通信と比較して第１の移動通信デバイスに対するより高い送信電力を要するということを前記比較することが明らかにする場合に、移動通信ネットワークの無線トランシーバ局を通過する通信への、第２の移動通信デバイスに向けての第１の移動通信デバイスの通信の切り替えを指令することを行わせるステップとをさらに含む。
【００３９】
本発明の１つの実施形態では、方法は、前記直接デバイスツーデバイス通信の間に、方法の前述のステップを周期的に反復するステップと、第２の無線トランシーバ局に、第１の移動通信デバイスに向けての第２の移動通信デバイスのそのような直接デバイスツーデバイス通信が移動通信ネットワークの無線トランシーバ局を通過する通信より、第２の移動通信デバイスに対するより高い送信電力を要するということを前記比較することが明らかにする場合に、移動通信ネットワークの無線トランシーバ局を通過する通信への、第１の移動通信デバイスに向けての第２の移動通信デバイスの通信の切り替えを指令することを行わせるステップとをさらに含む。
【００４０】
本発明のさらなる実施形態では、第１の測定および第２の測定を前記比較することは、第１の測定に対する第２の測定の第１の比を、前記第１のしきい値より低い第２のしきい値と比較するステップを含み、第３の測定および第４の測定を前記比較することは、第３の測定に対する第４の測定の第２の比を第２のしきい値と比較するステップを含む。前記第１の比が前記第２のしきい値より低い場合に、第１の無線トランシーバ局に、移動通信ネットワークの無線トランシーバ局を通過する通信への、第２の移動通信デバイスに向けての第１の移動通信デバイスの通信の切り替えを指令することを行わせるステップ。前記第２の比が前記第２のしきい値より低い場合に、第２の無線トランシーバ局に、移動通信ネットワークの無線トランシーバ局を通過する通信への、第１の移動通信デバイスに向けての第２の移動通信デバイスの通信の切り替えを指令することを行わせるステップ。
【００４１】
本発明の別の態様は、移動通信ネットワークを動作させる方法を提案する。移動通信ネットワークは、移動通信デバイスにサービスする複数の無線トランシーバ局を備え、移動通信ネットワークは、移動通信デバイス間の通信を管理する。方法は、以下のステップを含む。前記複数の無線トランシーバ局に、第１の移動通信デバイスに対して、プローブ信号の送信を指令することを行わせるステップ。無線トランシーバ局に、第２の移動通信デバイスに対して、第１の移動通信デバイスにより送信されるプローブ信号を受信するために、第２の移動通信デバイスに有用なパラメータを提供することを行わせるステップ。無線トランシーバ局に、第１の移動通信デバイスにより送信されるプローブ信号の第１の測定を実施することを行わせるステップ。無線トランシーバ局に、第１の移動通信デバイスにより送信されるプローブ信号の第２の測定を受信することを行わせるステップであって、第２の測定が第２の移動通信デバイスにより実施される、行わせるステップ。無線トランシーバ局に、第１の測定および第２の測定を比較することを行わせるステップ。無線トランシーバ局に、第２の移動通信デバイスに対して、プローブ信号の送信を指令することを行わせるステップ。無線トランシーバ局に、第１の移動通信デバイスに対して、第２の移動通信デバイスにより送信されるプローブ信号を受信するために、第１の移動通信デバイスに有用なパラメータを提供することを行わせるステップ。無線トランシーバ局に、第２の移動通信デバイスにより送信されるプローブ信号の第３の測定を実施することを行わせるステップ。無線トランシーバ局に、第２の移動通信デバイスにより送信されるプローブ信号の第４の測定を受信することを行わせるステップであって、第４の測定が第１の移動通信デバイスにより実施される、行わせるステップ。無線トランシーバ局に、第３の測
定および第４の測定を比較することを行わせるステップ。最終的には、第１の測定を第２の測定と前記比較することの、および、第３の測定を第４の測定と前記比較することの結果に基づいて、方法は、以下のステップの１つを含む。無線トランシーバ局に、移動通信ネットワークの無線トランシーバ局を通過する通信から、直接デバイスツーデバイス通信への、またはその逆の、第２の移動通信デバイスに向けての第１の移動通信デバイスの通信、および、第１の移動通信デバイスに向けての第２の移動通信デバイスの通信の切り替えを指令することを行わせるステップ。無線トランシーバ局に、移動通信ネットワークの無線トランシーバ局を通過する通信から、直接デバイスツーデバイス通信への、またはその逆の、第２の移動通信デバイスに向けての第１の移動通信デバイスの通信の切り替え、または、第１の移動通信デバイスに向けての第２の移動通信デバイスの通信の切り替えを指令することを行わせるステップ。無線トランシーバ局に、移動通信ネットワークの無線トランシーバ局を通過する通信として、または、直接デバイスツーデバイス通信として、第２の移動通信デバイスに向けての第１の移動通信デバイスの通信、および、第１の移動通信デバイスに向けての第２の移動通信デバイスの通信を維持することを行わせるステップ。
【００４２】
本発明の別の態様は、移動通信デバイス間の通信を管理するように適合される移動通信ネットワークであって、複数の無線トランシーバ局を備え、上記で説明された方法を実装するように適合される、移動通信ネットワークを提案する。
【００４３】
本発明の別の態様は、移動通信デバイスを動作させる方法を提案する。移動デバイスは、移動通信デバイスにサービスするための複数の無線トランシーバ局を備える移動通信ネットワークによって通信するように適合される。方法は、以下のステップを含む。移動通信デバイスに、移動通信デバイスにサービスしている前記複数のサービング無線トランシーバ局からの指令に応答して、プローブ信号を送信することを行わせるステップ。移動通信デバイスに、さらなる移動通信デバイスにより送信されるプローブ信号を受信するために、移動通信デバイスに有用なパラメータを受信することを行わせるステップであって、パラメータがサービング無線トランシーバ局により提供される、行わせるステップ。移動通信デバイスに、さらなる移動通信デバイスにより送信されるプローブ信号の強度の測定を実施することを行わせるステップ。移動通信デバイスに、サービング無線トランシーバ局に対して、さらなる移動通信デバイスにより送信されるプローブ信号の測定を提供することを行わせるステップ。移動通信デバイスに、さらなる移動通信デバイスに向けての、もしくは／および、さらなる移動通信デバイスからの通信を、直接デバイスツーデバイス通信に、サービング無線トランシーバ局からの指令に応答して切り替えることを行わせ、または、移動通信デバイスに、さらなる移動通信デバイスに向けての通信を、移動通信ネットワークの無線トランシーバ局を通過する通信に、無線トランシーバ局からの指令に応答して切り替えることを行わせるステップ。
【００４４】
本発明の１つの実施形態では、プローブ信号の測定は、前記プローブ信号の強度の測定である。
【００４５】
本発明の１つの実施形態では、前記直接デバイスツーデバイス通信の間に、方法は、移動通信デバイスに、データパケットを直接さらなる移動通信デバイスに、物理アップリンク共有チャネル、好ましくはＰＵＳＣＨによって送出することを行わせるステップを含む。
【００４６】
本発明のさらなる実施形態では、方法は、前記直接デバイスツーデバイス通信の間に、移動通信デバイスに、さらなる移動通信デバイスから直接受信されるデータパケットに対する成功／不成功受信メッセージの確認応答を、移動通信ネットワークのサービング無線トランシーバ局に送出することを行わせるステップと、移動通信デバイスに、移動通信デ
バイスからさらなる移動通信デバイスに送出されるデータパケットに対する、移動通信ネットワークにより転送される成功／不成功受信メッセージの確認応答を受信することを行わせるステップとをさらに含む。
【００４７】
本発明の１つの実施形態では、成功／不成功受信メッセージの確認応答を前記送出することは、移動通信デバイスに、成功／不成功受信メッセージの確認応答を移動通信ネットワークに、物理アップリンク制御チャネル、好ましくはＰＵＣＣＨによって送信することを行わせるステップを含み、移動通信デバイスに、成功／不成功受信メッセージの確認応答を受信することを行わせる前記ステップは、移動通信デバイスに、成功／不成功受信メッセージの確認応答を、受信専用ダウンリンク物理チャネル、好ましくはＰＨＩＣＨによって受信することを行わせるステップを含む。
【００４８】
本発明のさらなる実施形態では、成功／不成功受信メッセージの確認応答を前記送出することは、移動通信デバイスに、成功／不成功受信メッセージの確認応答をさらなる移動通信デバイスに、データアップリンク物理チャネル（ＰＵＳＣＨ）によって送信することを行わせるステップをさらに含む。
【００４９】
本発明の１つの実施形態では、前記直接デバイスツーデバイス通信の間に、方法は、以下のステップをさらに含む。移動通信デバイスに、復調基準信号、好ましくはＤＭＲＳをさらなる移動通信デバイスから、物理アップリンク共有チャネルによって受信することを行わせるステップ。移動通信デバイスに、直接チャネル品質インジケータを、受信される復調基準信号に基づいて決定することを行わせるステップ。移動通信デバイスに、直接チャネル品質インジケータをサービング無線トランシーバ局に送出することを行わせるステップ。
【００５０】
本発明のさらなる実施形態では、前記直接デバイスツーデバイス通信の間に、方法は、以下のステップをさらに含む。移動通信デバイスに、サービング無線トランシーバ局からダウンリンク基準信号、好ましくはＣＲＳを物理ダウンリンク制御チャネル、好ましくはＰＤＣＣＨによって受信することを行わせるステップ。移動通信デバイスに、セルラーチャネル品質インジケータを、受信されるダウンリンク基準信号に基づいて決定することを行わせるステップ。移動通信デバイスに、サービング無線トランシーバ局に対して、直接チャネル品質インジケータおよびセルラーチャネル品質インジケータを交互に、あらかじめ決定された周期によって送出することを行わせるステップ。
【００５１】
本発明の別の態様は、少なくともさらなる移動通信デバイスとの直接デバイスツーデバイス通信を実施する能力がある移動通信デバイスを提案する。移動通信デバイスは、上記で説明された方法を実装するように適合される。
【００５２】
本発明の１つの実施形態では、移動通信デバイスは、第１の組み合わせ要素と、第２の組み合わせ要素とを有するアップリンク送信器を備える。それぞれ、第１の組み合わせ要素は、制御情報を第１の電力スケーリング因子と組み合わせるように適合させられ、第２の組み合わせ要素は、直接デバイスツーデバイス通信のデータ情報を、第２の電力スケーリング因子と組み合わせるように適合される。
【００５３】
本発明による解決策のこれらおよび他の特徴および利点は、添付される図面と連関して読まれることになる、単に非制限的な例として提供される、本発明の実施形態の以下の詳細な説明を読むことにより、より良好に理解されよう。
【図面の簡単な説明】
【００５４】
【図１】本発明の実施形態による、２つのＵＥが接続されるｅノードＢを備える移動通信ネットワークの部分の概略図である。
【図２】図１のシナリオに関わりのある、本発明の実施形態による発見手順の概略シーケンス線図である。
【図３】本発明の別の実施形態による、各々が、それに接続されるそれぞれのＵＥを伴う、２つの近辺にあるｅノードＢを備える、移動通信ネットワークのより大きな部分の概略図である。
【図４】図３のシナリオに関わりのある、本発明の実施形態による発見手順の概略シーケンス線図である。
【図５】ｅノードＢのカバレッジのエリアの内部に両方が配置されるＵＥ間の対称Ｄ２Ｄ通信を概略的に示す図である。
【図６】第１のｅノードＢのカバレッジエリアの内部に配置される第１のＵＥと、第１のｅノードＢの近辺にある第２のｅノードＢのカバレッジエリアの内部の第２のＵＥとの間の非対称Ｄ２Ｄ通信を概略的に示す図である。
【図７Ａ】ＬＴＥフレーム構造タイプ１による汎用フレームの概略表示の図である。
【図７Ｂ】本発明の実施形態による、Ｄ２Ｄ通信を管理するように構成される、ダウンリンクフレームの、および、アップリンクフレームの概略表示の図である。
【図８Ａ】セルラー通信に関与し、５ｍｓの周期的報告レートによって構成されるときの、ＵＥに対するＣＱＩ報告を示す図である。
【図８Ｂ】本発明の実施形態による、Ｄ２Ｄ通信に関与し、２ｍｓの周期的報告レートによって構成されるときの、ＵＥに対するＣＱＩ報告を示す図である。
【図９Ａ】ダウンリンクトランスポートチャネルへのダウンリンク論理チャネルのマッピング、および、ダウンリンク物理チャネルへのダウンリンクトランスポートチャネルのマッピングの線図である。
【図９Ｂ】アップリンクトランスポートチャネルへのアップリンク論理チャネルのマッピング、および、アップリンク物理チャネルへのアップリンクトランスポートチャネルのマッピングの線図である。
【図１０】本発明の実施形態による、アップリンクＳＣ−ＦＤＭＡベースバンド送信器の概略機能ブロック線図である。
【発明を実施するための形態】
【００５５】
以下の開示では、ロングタームエボリューション（ＬＴＥ）／ＬＴＥアドバンスト（ＬＴＥ−Ａ）システムへの参照が行われるが、それでも、同じ概念が、他の移動通信システムにもまた適用され得る。
【００５６】
図面を参照すると、図１は、例えば発展型ノードＢまたはｅノードＢ１０５などの、無線アクセスネットワーク要素を備える、移動通信ネットワーク１００、例えばＬＴＥ／ＬＴＥ−Ａ移動通信ネットワークの部分の概略図である。２つのＵＥ１１０および１１５は、ｅノードＢ１０５のカバレッジの（すなわち、ｅノードＢ１０５によりサービスされる）地理的エリア１０７内に配置される。
【００５７】
ｅノードＢ１０５の構造は、それ自体は知られている。ｅノードＢは、１つまたは複数の無線トランシーバ（典型的には３つであるが、図面には示されない）を備え、それらの無線トランシーバの各々は、ｅノードＢ１０５によりサービスされる地理的エリア１０７のそれぞれの部分（「セル」と称されもする）での、ＵＥ１１０および１１５とｅノードＢ１０５との間の、物理通信チャネルによるデータ交換を、確立するように、および管理するように適合される。ｅノードＢ１０５はさらには、ｅノードＢ１０５の（例えば、３つの）無線トランシーバにより交換されるデータを管理するように適合されるベースバンドユニットを備える。同じｅノードＢにより制御される無線トランシーバは、図１に示されるように並置され得るものであり、またはそれらの無線トランシーバは、異なる位置に分散され、中央ユニットに、典型的には光ファイバ接続およびプロプライエタリ通信プロ
トコルによって接続され得る。以下では、用語「無線トランシーバ」、および、関連付けられる「セル」は、互換的とみなされることになる。
【００５８】
ＵＥ１１０および１１５はＤ２Ｄ能力がある、すなわちそれらは、ＵＥ１１０および１１５が、ｅノードＢ１０５と、ＵＥ１１０および１１５の各々の１つとの間でセットアップされ終結させられる物理（通信）チャネルによって互いと通信する、典型的な２ホップセルラー通信を実施する能力があるということに加えて、ＵＥ１１０および１１５が、ＵＥ１１０と１１５との間で直接セットアップされ終結させられる物理（通信）チャネルによって通信する、「デバイスツーデバイス」またはＤ２Ｄ通信を実施する能力があるということが想定される。
【００５９】
ＵＥ１１０および１１５は、移動通信ネットワーク１００に接続され（すなわち、ＵＥ１１０および１１５は、「接続されるモード」である）、互いとのセルラー通信の状態にある（すなわち、ＵＥ１１０および１１５からの／へのデータは、ｅノードＢ１０５を通過する）ということが想定されるものとする。
【００６０】
本発明の実施形態による解決策では、移動通信ネットワーク１００は、ＵＥ１１０と１１５との間の通信を、セルラー通信からＤ２Ｄ通信に、およびその逆に、Ｄ２Ｄ通信からセルラー通信に、ＵＥ１１０および１１５の無線パラメータの関数として切り替えるように適合される。
【００６１】
一般的には、本発明による移動通信ネットワーク１００は、例えば１回、または、ことによると時折、例えば周期的に、セルラー通信に関与する２つのＵＥ１１０または１１５の少なくとも一方が、直接他方のＵＥ１１５または１１０と、Ｄ２Ｄ通信を実施することにより通信し得るという可能性をチェックする。そのようなチェックは、例えば、移動通信ネットワーク１００により、以下では発見手順と称されもする近接性検出手順を実装することにより実施され得るものであり、例えば発見手順は、直接ｅノードＢ１０５で実装され得る。
【００６２】
ＵＥ１１０および１１５は、接続されるモードであるので、移動通信ネットワーク１００は、ＵＥ１１０および１１５が、移動通信ネットワーク１００のカバレッジのエリア内に、特に、２つのＵＥにサービスするｅノードＢ１０５のカバレッジ１０７のエリア内にあるということを認識している。したがって移動通信ネットワーク１００は、発見手順を自律的に開始し得る。
【００６３】
本発明の実施形態では、発見手順は、プローブ信号として、ＵＥ１１０および１１５の各々とｅノードＢ１０５との間で交換される電力／通信管理情報を活用することにより実施される。例えば、ＬＴＥ／ＬＴＥ−Ａ標準で規定されるようなＰＲＡＣＨ（物理ランダムアクセスチャネル）上で送信されるプリアンブル信号  −  以下ではＰＲＡＣＨプリアンブルと称される  −  が有利には、プローブ信号として使用され得る。
【００６４】
３ＧＰＰ  ＬＴＥ／ＬＴＥ−Ａ標準によれば、ＰＲＡＣＨプリアンブルはリソース割り当てのために使用される。ＰＵＳＣＨ（物理アップリンク共有チャネル）上でのＵＥ１１０および１１５によるデータの送信は、ｅノードＢ１０５によりスケジューリングされなければならない。ＵＥ１１０または１１５のいずれも、ｅノードＢ１０５に接続し、通信するために、ＲＡＣＨ手順を最初に実施しなければならず、その手順でＵＥ１１０または１１５は、ｅノードＢ１０５にＰＲＡＣＨプリアンブルを送出し、応答でｅノードＢ１０５は、（ＰＤＣＣＨ  −  物理ダウンリンク制御チャネルによって）それらのＵＥの通信に対するＰＵＳＣＨの利用可能なリソースを割り当てる。
【００６５】
ＰＲＡＣＨは、ＰＵＳＣＨ割当て領域の内部で予約される、予約される時間／周波数スロットによって周期的に割当てられる。例えば、（ＦＤＤ  −  周波数分割複信（Ｆｒｅｑｕｅｎｃｙ  Ｄｉｖｉｓｉｏｎ  Ｄｕｐｌｅｘｉｎｇ）に対する）ＬＴＥフレーム構造タイプ１を参照すると、ただ１つのＰＲＡＣＨスロットが、各々のサブフレーム（すなわち、１０ｍｓのフレームの内部の、ＴＴＩ、時間送信間隔に対応する１ｍｓの長さの時間間隔）内で構成され得る。ＰＲＡＣＨスロットの持続期間は、選択されるフォーマットに依存して、１、２、または、３ｍｓであり得る。ＰＲＡＣＨスロットの周期は、予測されるＰＲＡＣＨ負荷、すなわち、同じセルのもとにあるすべてのＵＥからのＰＲＡＣＨプリアンブルの送信の周波数に依存して、１ｍｓから２０ｍｓまでにスケーリングされ得る）。周波数軸に沿ったＰＲＡＣＨスロットの帯域幅は、６つの（物理）リソースブロック（ＲＢ：Ｒｅｓｏｕｒｃｅ  Ｂｌｏｃｋ）に等しくセットされ、それは、互いから１５ｋＨｚ隔置される１２ｘ６＝７２個のサブキャリアに対応する。
【００６６】
本発明の実施形態による発見手順が、ここで、本発明による実施形態による発見手順の概略アクションシーケンス線図である図２を参照することにより説明されることになる。発見手順は、以下の段階またはステップを含む。
【００６７】
現在セルラー通信モードで通信しているＵＥ１１０および１１５の第１のもの、例えばＵＥ１１０（本明細書で以後「第１のＵＥ１１０」と称される）にサービスするｅノードＢ１０５のセルは、サービスされる第１のＵＥ１１０に、ＰＲＡＣＨプリアンブルの送信を指令する（発見手順の第１の段階２０５）。ＵＥ１１０および１１５の第２のもの  −
この例ではＵＥ１１５であり、以下では「第２のＵＥ１１５」と称される  −  にサービスするｅノードＢ１０５のセルは、サービスされるＵＥ１１５に、ＰＲＡＣＨプリアンブルの検出のために必要である通信パラメータをシグナリングする（発見手順の第２の段階２１０）。ＰＲＡＣＨプリアンブルが、第１のＵＥ１１０により送信される（発見手順の第３の段階２１５）。そのような通信パラメータの例は、プリアンブルシーケンスインデックス、および、ＰＲＡＣＨ時間／周波数スロットインデックスである。第２のＵＥ１１５にサービスするセルは、第１のＵＥ１１０にサービスする同じセル、または、ｅノードＢ１０５のセルの別のものであり得る。
【００６８】
第２のＵＥ１１５、および、第１のＵＥ１１０にサービスする無線トランシーバは両方が、無線伝搬チャネルによる送信の間に経験される信号減衰の推定を取得するような方途で、受信されるＰＲＡＣＨプリアンブルの品質を測定する（発見手順の第４および第５の段階２２０および２２５）。好ましくは、ただし制限的にではなく、受信されるＰＲＡＣＨプリアンブルの品質の測定は、受信される電力レベル（すなわち、第１のＵＥ１１０により送信され、その第１のＵＥ１１０のサービング無線トランシーバにより、および、第２のＵＥ１１５により検知される、ＰＲＡＣＨプリアンブルの電力の強さ）の見地で実行される。
【００６９】
一度測定内容が実施されたならば、第２のＵＥ１１５は、そのような測定内容を、第１のＵＥ１１０にサービスするセルに報告する（発見手順の第６の段階２３０）。
【００７０】
ＵＥ１１０および１１５がｅノードＢ１０５の異なるセルによりサービスされる場合には、第２のＵＥ１１５は、測定内容を、その第２のＵＥ１１５のサービングセルに報告し、そのサービングセルが次いで、測定内容を、第１のＵＥ１１０にサービスしているセルに転送する。
【００７１】
第１のＵＥ１１０にサービスするセルは、（例えば、そのセルで実装される評価機能によって）そのセル自体により実施される測定内容を、第２のＵＥ１１５により報告される測定内容と比較し（発見手順の第７の段階２３５）、比較に基づいて、Ｄ２Ｄ通信が、第
２のＵＥ１１５に向けて第１のＵＥ１１０に対して好都合にセットアップされ得るかどうかを決定し（後で詳細に説明されるような発見手順の第８の段階２４０）、Ｄ２Ｄ通信への切り替えること（または、セルラー通信の継続）が、ＵＥ１１０および１１５の両方に通知される（発見手順の第８の段階２４０）。
【００７２】
有利には、発見手順の上記で説明された段階は、次いで、ＵＥ１１０および１１５の役割を交換して繰り返される。したがって第２のＵＥ１１５は、そのサービングセルにより、ＰＲＡＣＨプリアンブルを送信するように命令され（発見手順の第９の段階２４５）、一方で、第１のＵＥ１１０にサービスするセルは、その第１のＵＥ１１０に通信パラメータをシグナリングする（発見手順の第１０の段階２５０）。この方途では、第２のＵＥ１１５により送信されるＰＲＡＣＨプリアンブル（発見手順の第１１の段階２５５）が、第１のＵＥ１１０により識別され得るものであり、第２のＵＥ１１５により送信されるＰＲＡＣＨプリアンブルの受信される電力レベルが、第２のＵＥ１１５にサービスするセルに加えて、第１のＵＥ１１０により測定され得る（発見手順の第１２および第１３の段階２６０および２６５）。同様に上記で説明されたように、第１のＵＥ１１０は、測定内容を、第２のＵＥ１１５にサービスするセルに提供し（発見手順の第１４の段階２７０）、そのセルは、そのセル自体により行われる、および、第１のＵＥ１１０により報告される測定内容を比較し（発見手順の第１５の段階２７５）、比較に基づいて、Ｄ２Ｄ通信が、第１のＵＥ１１０に向けて第２のＵＥ１１５に対して好都合にセットアップされ得るかどうかを判定し、Ｄ２Ｄ通信への切り替えること（または、セルラー通信の継続）が、ＵＥ１１０および１１５の両方に通知される（発見手順の第１６の段階２８０）。
【００７３】
本発明の例示的な実施形態による発見手順により、ｅノードＢ１０５は、Ｄ２Ｄ通信へと、第１のＵＥ１１０から第２のＵＥ１１５に向けての起動もしくは進行するセルラー通信、および／または、第２のＵＥ１１５から第１のＵＥ１１０に向けての起動もしくは進行するセルラー通信を、互いから独立して切り替えることが可能である。
【００７４】
有利にはｅノードＢ１０５は、対称Ｄ２Ｄ通信または非対称Ｄ２Ｄ通信（または単一ＵＥ  Ｄ２Ｄ通信）を、セルラー通信リンクと比較されての（以下で説明されるような）Ｄ２Ｄ通信リンクを確立することでの好都合なことに基づいて確立することを可能とするように構成され得る。用語、対称Ｄ２Ｄ通信は、ＵＥ１１０および１１５の両方が、互いとのＤ２Ｄ通信の状態にあるということを意味する。その代わりに用語、非対称Ｄ２Ｄ通信は、ｅノードＢ１０５が、ＵＥ１１０または１１５の一方のみに対して、セルラー通信からＤ２Ｄ通信への切り替えることを可能にし、一方でｅノードＢ１０５は、それぞれ、他方のＵＥ１１５または１１０に対してセルラー通信を維持するということを意味する。例えば、発見手順によって、第１のＵＥ１１０から第２のＵＥ１１５に向けてのＤ２Ｄ通信のみが、対応するセルラー通信より好都合であると決定される（一方で第２のＵＥ１１５に対しては、セルラー通信はＤ２Ｄ通信より好都合なままである）ならば、第１のＵＥ１１０から第２のＵＥ１１５に向けてのセルラー通信はＤ２Ｄ通信に切り替えられ、一方で、第２のＵＥ１１５から第１のＵＥ１１０に向けてのセルラー通信は維持される。
【００７５】
ＰＲＡＣＨ、特にＰＲＡＣＨプリアンブルを発見手順で使用することにおいての利点は、発見手順に関与するＵＥ１１０および１１５は、ｅノードＢ１０５（のそれぞれのサービングセル）から、便法としてＤ２Ｄ通信のために使用されることになる、ＰＵＳＣＨに対するタイミングアドバンス（ＴＡ）情報を入手することが可能であるということである。知られているように、ｅノードＢ１０５は、ＵＥ１１０および１１５の送信タイミングを、それらのＵＥから受信されるＰＲＡＣＨプリアンブルに基づいて推定し得るものであり、ｅノードＢは次いで、推定されるＴＡをＵＥ１１０または１１５に、タイミングアドバンス指令からなるランダムアクセス応答内で送信し、したがって、その推定されるＴＡを基にして、ＵＥ１１０または１１５は、そのＵＥの送信タイミングを調整し得る。
【００７６】
セルラー通信からＤ２Ｄ通信に切り替えるＵＥ１１０または／および１１５は、有利には、それらのＵＥに、それぞれのサービング無線トランシーバによりシグナリングされるＴＡを維持する。
【００７７】
好ましくは、高速フェージングの影響（すなわち、送信器と受信器との間で起こる散乱の影響に依存する信号減衰）を平均化するために、発見手順は、２回以上、例えば数回、異なる時間／周波数ＰＲＡＣＨスロットにわたって繰り返され得るものであり、関係付けられる測定が、好都合に平均化され得る。例えば、異なるＰＲＡＣＨスロットで測定される、受信されるＰＲＡＣＨプリアンブルの電力レベルの単純な線形平均が、伝搬チャネルの時間−周波数変動を平滑化するために使用され得る。より複雑な平均化機能が、有利には、測定内容が収集される異なる時点を考慮に入れるために適用され得る。
【００７８】
測定内容の精度をさらに高め、干渉の影響を制限するために、ＰＲＡＣＨプリアンブルの生成のために使用される、決まった数のＺａｄｏｆｆ−Ｃｈｕシーケンスが、発見手順のためにのみ予約および使用され得る。Ｚａｄｏｆｆ−Ｃｈｕシーケンスは、複素数値の数学的シーケンスであり、それらのシーケンスは、無線信号に適用されるときに、一定振幅の電磁信号を生み出し、そのことにより、シーケンスのサイクリックシフトされるバージョンが信号に課せられることによって、受信器（例えば、ｅノードＢ１０５ならびにＵＥ１１０および１１５）での互いとのゼロ相互相関が結果として生じるものであり、ＬＴＥ／ＬＴＥ−Ａ標準では、Ｚａｄｏｆｆ−Ｃｈｕシーケンスは、異なるＵＥにより送信されるＰＲＡＣＨプリアンブルの間の、信号相互相関および相反性干渉を低減するために使用される。
【００７９】
受信される電力レベル（無線トランシーバにより測定される電力レベル、および、ＵＥにより無線トランシーバに報告される電力レベルの測定）に基づいて、ｅノードＢ１０５は、Ｄ２Ｄおよびセルラー通信リンクのパス損失（すなわち、送信器と受信器との間の距離に主に依存する、伝搬の間の信号電力の損失）間の比を推定し得る。受信される電力レベルは、（線形単位、例えばワットでの）以下の数式により表現され得る。
【００８０】
【数１】
2018033166.tif 000003
【００８１】
ただし
【００８２】
【数２】
2018033166.tif 000004
【００８３】
は、それぞれ、第２のＵＥ１１５および第１のＵＥ１１０により送信される信号の、それ
ぞれ、第１のＵＥ１１０での、および、第２のＵＥ１１５での受信される電力レベルである。
【００８４】
【数３】
2018033166.tif 000005
【００８５】
は、それぞれのサービングセルで受信されるような、第１のＵＥ１１０および第２のＵＥ１１５により送信される信号の電力レベルである。
【００８６】
【数４】
2018033166.tif 000006
【００８７】
は、第１のＵＥ１１０と第２のＵＥ１１５との間の物理伝搬チャネルにより引き起こされる減衰である。
【００８８】
【数５】
2018033166.tif 000007
【００８９】
は、それぞれ、第１のＵＥ１１０とそのサービングセルとの間の、および、第２のＵＥ１１５とそのサービングセルとの間の、物理伝搬チャネルにより引き起こされる減衰である。
【００９０】
本発明の実施形態では、発見手順でのより良好な精度を実現するために、減衰
【００９１】
【数６】
2018033166.tif 000008
【００９２】
は好ましくは、シャドウイング（送信器と受信器との間の障害物の存在に依存する減衰）および高速フェージング（上記ですでに述べられた）などの、パス損失とともに生起する、物理伝搬チャネルに関連付けられるすべての有害な伝搬影響を含む。
【００９３】
好ましくは、ｅノードＢ１０５は、セルラー通信からＤ２Ｄ通信に切り替えることを、そのＤ２Ｄ通信が、対応するセルラー通信より十分に小さな量の送信電力を使用しながら、情報の交換が同じレートで実施され得るならば行うように構成される。要されるＵＥ１１０または１１５送信電力の低減（すなわち、セルラー通信の代わりにＤ２Ｄ通信を実施することにより取得される送信電力節約）は、関係付けられる減衰の比により定量化され得る。例えば、セルラー通信からＤ２Ｄ通信に切り替えることにより取得される、それぞれ、第１のＵＥ１１０の、および、第２のＵＥ１１５の、予測される送信電力節約ＰＳ１
およびＰＳ２が、後に続くように表現され得る。
【００９４】
【数７】
2018033166.tif 000009
【００９５】
有利には、ｅノードＢ１０５が、セルラー通信からＤ２Ｄ通信に、および、ことによると、Ｄ２Ｄ通信からセルラー通信に戻るように切り替えるべきかどうかを判別することを可能とするために、電力節約しきい値ＴＨＤ２Ｄが規定され得る。問題になっている例での送信電力節約ＰＳ１およびＰＳ２などの、算出される送信電力節約は、各々のものが電力しきい値ＴＨＤ２Ｄと比較される。送信電力節約が電力節約しきい値ＴＨＤ２Ｄを上回るときは、セルラー通信に対しての通信するために必要とされる電力の見地での節約が予測されるので、Ｄ２Ｄ通信が好まれる。逆に、電力節約が電力節約しきい値ＴＨＤ２Ｄより低いときは、セルラー通信に対してのＤ２Ｄで通信するために必要とされる電力の見地での充分な節約が存在しないことになるので、セルラー通信が好まれる。上記のことが、後に続くように数学的に要約され得る。
【００９６】
【数８】
2018033166.tif 000010
【００９７】
好ましくは電力節約しきい値は、受信器の機能パラメータ（例えば、ＵＥ１１０および１１５の、ならびに、それぞれのサービングセルの雑音指数）間の差、および／または、測定の不確定性（例えば、その影響は、規格化／補正因子を規定することにより低減され得る）を考慮に入れるように規定される。
【００９８】
本発明の実施形態によれば、発見手順はさらには、ここで図３への参照を行うことにより説明されることになるような、ＵＥが、異なるｅノードＢに接続される場合に実施され得るものであり、その図３は、各々が、カバレッジの対応する地理的エリア１０７および３０７の内部のＵＥ１１０または１１５のそれぞれのものを伴う、２つの近辺にあるｅノードＢ、例えば、ｅノードＢ１０５（以下では、第１のｅノードＢ１０５と称される）、および、第１のｅノードＢ１０５の近辺にある第２のｅノードＢ３０５を備える、移動通信ネットワーク１００の部分の概略図である。
【００９９】
問題になっている例では、第１のＵＥ１１０は、第１のｅノードＢ１０５の無線トランシーバによりサービスされ、一方で第２のＵＥ１１５は、ここでは第２のｅノードＢ３０５の無線トランシーバによりサービスされる。ｅノードＢ１０５および３０５は、第２のｅノードＢ３０５のカバレッジの地理的エリア３０７が、第１のｅノードＢ１０５のカバレッジの地理的エリア１０７の近辺にあるので、互いの近辺にあると規定される。そのようなシナリオでは発見手順は、ｅノードＢ１０５と３０５との間の、協調させられるアクション、および、情報交換を要する。好ましくは、ｅノードＢ１０５および３０５は相互
に、それらのｅノードＢ間の直接通信リンクによって情報を交換するものであり、例えばＬＴＥ／ＬＴＥ−Ａでは、ｅノードＢ１０５および３０５は、ｅノードＢ１０５および３０５を相互接続するＸ２インターフェイス３２０によって、互いに、情報を交換し得る。
【０１００】
ｅノードＢ１０５と３０５との間の発見手順は、図４がその発見手順の、本発明による実施形態の概略シーケンス線図であるが、後に続くことにおいて、両方が第１のｅノードＢ１０５によりサービスされるＵＥ１１０および１１５に対する発見手順とは異なる。
【０１０１】
発見手順は、第１のｅノードＢ１０５で起動されるということが、（発見手順は、第２のｅノードＢ３０５でも起動され得るが）想定されるものとする。第１のＵＥ１１０にサービスするセルは、ＰＲＡＣＨプリアンブルの送信を、現在は第２のＵＥ１１５とのセルラー通信の状態にある第１のＵＥ１１０に指令する（発見手順の第１の段階４０５）。同じ時間に第１のｅノードＢ１０５は、Ｘ２インターフェイス３２０によって、第２のｅノードＢ３０５に、第１のＵＥ１１０により送信されるＰＲＡＣＨプリアンブルの検出のために必要な通信パラメータを送信する（上記で説明されたように、発見手順の第２の段階４１０）。第２のｅノードＢ３０５で、第２のＵＥ１１５にサービスするセルは、第１のｅノードＢ１０５から受信される通信パラメータを第２のＵＥ１１５にシグナリングし（発見手順の第３の段階４１５）、その第２のＵＥ１１５は次いで、第１のＵＥ１１０により送信されるＰＲＡＣＨプリアンブルを受信および識別することが可能である（発見手順の第４の段階４２０）。
【０１０２】
第２のＵＥ１１５および第１のｅノードＢ１０５は、受信されるＰＲＡＣＨプリアンブルの品質を測定する（同様に上記で説明されたように、発見手順の第５および第６の段階４２５および４３０）。次いで第２のＵＥ１１５は、その測定内容を、第２のｅノードＢ３０５のその第２のＵＥ１１５のサービングセルに報告し（発見手順の第７の段階４３５）、その第２のｅノードＢ３０５は、そのような測定内容を第１のｅノードＢ１０５に、Ｘ２インターフェイス３２０によって送信する（発見手順の第８の段階４４０）。
【０１０３】
第１のｅノードＢ１０５は、第２のＵＥ１１５により報告される測定内容を、第１のＵＥ１１０にサービスするセルにより直接実施される測定内容と比較し（発見手順の第９の段階４４５）、第１のＵＥ１１０から第２のＵＥ１１５に向けてのＤ２Ｄ通信が、セルラー通信の代わりに好都合にセットアップされ得るかどうかを決定し、Ｄ２Ｄ通信への切り替えること（または、セルラー通信の継続）が、ＵＥ１１０および１１５の両方に通知されるものであり、その通知は、第１のｅノードＢ１０５により第２のｅノードＢ３０５に、Ｘ２インターフェイス３２０によって送出され、次いで、第２のＵＥ１１５に、第２のｅノードＢ３０５により送信されるような通信によるものである（発見手順の第１０の段階４５０）。
【０１０４】
先の場合のように、今説明された段階は、Ｄ２Ｄ通信が、第２のＵＥ１１５から第１のＵＥ１１０に向けてのセルラー通信の代わりに好都合にセットアップされ得るかどうかを決定するために、ｅノードＢ１０５および３０５の、ならびに、ＵＥ１１０および１１５の役割を逆にして繰り返される（図４で図式化される発見手順の段階４５５〜４９７）。
【０１０５】
本発明の実施形態による発見手順により、ｅノードＢ１０５および３０５は、次式のように算出される送信電力節約ＰＳ’１およびＰＳ’２を算出し得る。
【０１０６】
【数９】
2018033166.tif 000011
【０１０７】
ただし
【０１０８】
【数１０】
2018033166.tif 000012
【０１０９】
は、第１のＵＥ１１０により送信されるＰＲＡＣＨプリアンブルの、第１のＵＥ１１０にサービスする（第１のｅノードＢ１０５の）セルでの受信される電力レベルであり、
【０１１０】
【数１１】
2018033166.tif 000013
【０１１１】
は、第２のＵＥ１１５により送信される信号の、第２のＵＥ１１５にサービスする（第２のｅノードＢ３０５の）セルでの受信される電力レベルである。算出される送信電力節約ＰＳ’１およびＰＳ’２は、ｅノードＢ１０５と３０５との間で交換され、ｅノードＢ１０５および３０５の各々のものにより独立して、電力節約しきい値ＴＨＤ２Ｄと比較されることが、それらのｅノードＢに接続される対応するＵＥ１１０または１１５に対して、他方のＵＥ１１５または１１０に向けて、セルラー通信からＤ２Ｄ通信に切り替えることが有利であるかどうかを独立して決定するために行われ得るものであり、すなわち、次式となる。
【０１１２】
【数１２】
2018033166.tif 000014
【０１１３】
本発明による実施形態では、一度少なくとも１つのＤ２Ｄ通信が（上記で説明された発見手順の後で）ＵＥ１１０と１１５との間で確立されたならば、各々のＤ２Ｄ通信は、移動通信ネットワーク１００の制御のもとで実施される。
【０１１４】
上記では参照は、ＵＥ１１０および１１５により送信されるプローブ信号の電力レベルの分析に対してのみ行われるが、セルラー通信からＤ２Ｄ通信への、およびその逆の、Ｄ２Ｄ通信からセルラー通信への切り替えることを決定するために、ＵＥ１１０および１１５の他の無線パラメータをチェックするように移動通信ネットワーク１００を設計するこ
とを妨げるものはないということが留意されるべきである。例えば、本発明の実施形態による移動通信ネットワーク１００は、無線トランシーバ局で経験される干渉レベルを、送信されるプローブ信号に基づいて評価し、より低い干渉が予測されるならば、セルラー通信からＤ２Ｄ通信への、およびその逆の、切り替えることを判断し得る。
【０１１５】
移動通信ネットワーク１００によるＤ２Ｄ通信制御が、ここで、図５および６を参照することにより説明されることになる。図５は、第１のｅノードＢ１０５のカバレッジ１０７のエリアの内部に両方が配置されるＵＥ１１０と１１５との間の対称Ｄ２Ｄ通信を概略的に示す。図６は、第１のｅノードＢ１０５のカバレッジエリア１０７の内部に配置されるＵＥ１１０と、第２のｅノードＢ３０５のカバレッジエリア３０７の内部のＵＥ１１５との間の非対称Ｄ２Ｄ通信を代わりに示す。
【０１１６】
好ましくは、Ｄ２Ｄ通信は、移動通信ネットワーク１００により、Ｄ２Ｄ通信の制御およびデータ「プレーン」を別々のパスに分けることにより制御される（すなわち、制御およびデータ情報、または、パケットは、区別して別々に管理される）。
【０１１７】
特に、物理ダウンリンク制御チャネル（ＰＤＣＣＨ）、物理ブロードキャストチャネル（ＰＢＣＨ：Ｐｈｙｓｉｃａｌ  Ｂｒｏａｄｃａｓｔ  ＣＨａｎｎｅｌ）、物理制御フォーマットインジケータチャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、および、物理ハイブリッド−ＡＲＱインジケータチャネル（Ｐｈｙｓｉｃａｌ  Ｈｙｂｒｉｄ−ＡＲＱ  Ｉｎｄｉｃａｔｏｒ  ＣＨａｎｎｅｌ）（ＰＨＩＣＨ）により、ダウンリンクで（すなわち、ｅノードＢ１０５および／または３０５から、ＵＥ１１０および／または１１５に向けて）、ならびに、物理アップリンク制御チャネル（ＰＵＣＣＨ）により、アップリンクで（すなわち、ＵＥ１１０および／または１１５から、ｅノードＢ１０５および／または３０５に向けて）搬送される制御情報は、Ｄ２Ｄ通信がＵＥ１１０と１１５との間で進行しているときでさえ、考慮されるＵＥ１１０および１１５と、対応するｅノードＢ１０５および／または３０５との間で交換され続ける。したがって移動通信ネットワーク１００は、対称Ｄ２Ｄ通信および非対称Ｄ２Ｄ通信の両方の信号送信のために使用される電力レベルを管理する能力があり、移動通信ネットワーク１００はさらには、そのような対称および非対称Ｄ２Ｄ通信の間に交換されるデータの量もまた確認する能力がある。
【０１１８】
知られているように、ＰＵＣＣＨに対してＬＴＥ／ＬＴＥ−Ａ標準で規定される典型的な電力制御手順（セルラー通信およびＤ２Ｄ通信の両方の制御プレーン）は、ＰＵＳＣＨの電力制御手順（セルラー通信およびＤ２Ｄ通信の両方のデータプレーン）から独立したものである。有利には、ＰＵＣＣＨによって送信するためにＵＥ１１０および１１５により使用される送信電力レベルは、送信される信号が、サービングｅノードＢ１０５および／または３０５により正しく受信されるように調整され得るものであり、一方で、ＰＵＳＣＨによって送信するためにＵＥ１１０および１１５により使用される電力レベルは、データをＤ２Ｄ通信によって、それぞれ他方のＵＥ１１５または１１０（以下では、コンパニオンＵＥ１１５または１１０と称されもする）に向けて送信するときに、調整（例えば、低減）され得る。
【０１１９】
知られているように、ＰＤＣＣＨはダウンリンク制御情報（ＤＣＩ）を搬送し、そのＤＣＩは、（アップリンク無線リソースおよびダウンリンク無線リソースの両方に対する）スケジューリング割り当て、および、ＵＥ復調のために必要である他の制御情報を含む。例えば、ＬＴＥリリース１０標準に対するサポートされるＤＣＩフォーマットが、以下の表１に列挙される。
【０１２０】
【表１】
2018033166.tif 000015
【０１２１】
本発明の実施形態では、以下のフォーマットが、ＵＥ１１０と１１５との間のＤ２Ｄ通信の制御のために再使用され得る。
【０１２２】
ＤＣＩフォーマット０が、データパケットをコンパニオンＵＥに、Ｄ２Ｄ通信リンクによって送信する、ＵＥ１１０および／または１１５へのリソースの割当てのために使用され得る。同じＤＣＩフォーマット０が、受信する（コンパニオン）ＵＥ１１５および１１０に、復調されなければならないＰＵＣＣＨ内のリソースブロックを通知するために使用され得る。好ましくは単一のＤＣＩメッセージが、ＵＥ１１０および１１５の両方に同時に、典型的なＤＣＩメッセージに対する軽度の修正を伴って送信され得るものであり、そのような軽度の修正は、単一のＤＣＩメッセージと一体で運搬されなければならない追加的な情報に関係付けられているものである。そのような追加的な情報の例は、Ｄ２Ｄ通信での各々のＵＥ１１０および１１５の役割（すなわち、送信器または受信器）の指示、ならびに、メッセージが向けられる対象の２つ（以上）のＵＥ１１０および１１５の識別データである。ＤＣＩフォーマット３および３Ａは、代わりに、ＰＵＣＣＨおよび／またはＰＵＳＣＨに対して、電力制御ビットを搬送するために使用され得る（すなわち、ＵＥ１１０および１１５に、それぞれの送信する電力を調整するように命令するために使用され得る）。
【０１２３】
本発明の好まれる実施形態では、ＵＥ１１０または１１５の少なくとも１つがＤ２Ｄ通信の状態で送信しているとき、送信されるデータは、コンパニオンＵＥ１１５または１１０と、ＴＤＤ（時間分割複信）プロトコルによって交換され、ＵＥ１１０または１１５は、データパケットを送信するために、アップリンク周波数帯域（すなわち、アップリンク無線リソースに対する周波数のセット）上のＰＵＳＣＨを使用する。
【０１２４】
ＵＥ１１０および／または１１５がただ１つの受信器チェーンによって装備される場合には、ＰＢＣＨ、および、同期チャネルＰ−ＳＣＨ、Ｓ−ＳＣＨ（プライマリおよびセカンダリ同期チャネル）の継続的な監視を可能とするために、ＵＥ１１０および／または１１５がＤ２Ｄ通信に関与するとき、スケジューラ（例えば、使用アップリンクおよび／またはダウンリンク無線リソースをスケジューリングするためにｅノードＢ１０５で実装される）は、ＵＥ１１０および１１５を、Ｐ−ＳＣＨおよびＳ−ＳＣＨを搬送するために予約される、サブフレーム０および５でスケジューリングすることを回避すべきである。同様に、サブフレーム４および９は、ページングメッセージの送信のために使用され得るものであり、したがってスケジューラは、ＵＥ１１０および１１５をＤ２Ｄ通信に対してスケジューリングすることを回避すべきである。必然的に、ＦＤＤ複信の場合には、サブフレーム１、２、３、６、７、および、８が、図７Ａで図示されるように、Ｄ２Ｄ通信のために使用され得るということになり、その図７Ａは、ＬＴＥフレーム構造タイプ１による汎用フレーム７０５の概略表示である。
【０１２５】
単一の受信器チェーンによって装備されるＵＥ１１０および／または１１５は、ダウンリンク周波数帯域上のＰＤＣＣＨ、ＰＨＩＣＨ、および／または、ＰＣＦＩＣＨを、ならびに同じ時間に、アップリンク周波数帯域上の（コンパニオンＵＥにより送信される）データを、同時に受信することは可能でないので、これらの２つの動作の重なりを回避することが必要である。この目的で、ダウンリンクフレーム７１０の、および、アップリンクフレーム７１５の概略表示である図７Ｂで察知され得るように、Ｄ２Ｄ通信に関与するＵＥ１１０または１１５は、ＰＤＣＣＨ、ＰＨＩＣＨ、および、ＰＣＦＩＣＨを、サブフレーム０、４、５、および、９で、ならびに、そのようなＵＥ１１０または１１５が送信器として働くようにスケジューリングされるサブフレームでのみ監視する。加えて、スケジューラにより、Ｄ２Ｄ通信に関与する２つ（以上）のＵＥ１１０および１１５に、ＰＤＣＣＨ  ＤＣＩフォーマット０を使用して提供されるスケジューリンググラントは、Ｄ２Ｄ通信に対して利用可能なアップリンクフレーム７１５の次のサブフレームを参照し得る（すなわち、そのスケジューリンググラントは、そのサブフレームに適用される）。換言すれば、ダウンリンクフレーム７１０のサブフレームＮで受信されるアップリンクスケジューリンググラントは、Ｄ２Ｄデータ送信（および受信）を、後に続くサブフレームＮ＋ｋでトリガすることになる（ただしｋ≧１は、ＵＥ１１０および１１５の受信／送信処理時間を考慮に入れてセットされ、図７Ｂの例では、ｋは１に等しい）。
【０１２６】
コンパニオンＵＥ１１５または１１０が、Ｄ２Ｄ通信の状態のＵＥ１１０または１１５により送信されるデータパケットを、ＰＵＳＣＨによって受信することを可能とするために、ＵＥ１１０および１１５に対するアップリンクスケジューリンググラントは、ｅノードＢ１０５または３０５により、さらにはコンパニオンＵＥ１１５または１１０に送信されなければならない。
【０１２７】
逆に、ＵＥ１１０および１１５が、より複雑な受信器構造（例えば、二重受信器アーキテクチャ）を有するならば、または、高度なフィルタリング配置構成を伴うＵＥ１１０および１１５の場合には、Ｄ２Ｄ通信は、コンパニオンＵＥおよびサービングｅノードＢへの／からのデータ／制御情報の同時送信／受信によって実施され得る。高度なフィルタリング配置構成を伴うＵＥ１１０および１１５の場合には、ｅノードＢ１０５および／または３０５スケジューリングに関する若干の制約が、依然として要される場合がある（例えば、高度なフィルタリング配置構成を伴うＵＥ１１０および１１５に、同じ送信時間間隔
−  ＴＴＩ  −  で割当てられるリソースブロックは、自己干渉問題が通信を不可能にしないように、周波数ドメインで十分に分離されるべきである）。
【０１２８】
本発明の実施形態ではＰＵＣＣＨは、ｅノードＢに、ＵＥ１１０および１１５により生
成されるチャネル状態情報（ＣＳＩ：Ｃｈａｎｎｅｌ  Ｓｔａｔｅ  Ｉｎｆｏｒｍａｔｉｏｎ）をフィードバックするために使用される。ＣＳＩは、チャネル品質インジケータ（ＣＱＩ）、プリコーディング行列インデックス（ＰＭＩ）、および、ランクインジケータ（ＲＩ）を含む。加えてＰＵＣＣＨはさらには、受信される／受信されないデータパケットに対する成功／不成功受信の確認応答（それぞれ、ＡＣＫ／ＮＡＣＫ）（例えば、各々のデータパケットに対するＡＣＫ／ＮＡＣＫ）を、搬送するために、および、スケジューリング要求（ＳＲ）を搬送するために使用される。ＬＴＥリリース８で規定されるような主なＰＵＣＣＨフォーマットが、以下の表に列挙される。
【０１２９】
【表２】
2018033166.tif 000016
【０１３０】
本発明の実施形態によれば、上記で列挙されたＰＵＣＣＨフォーマットは便法として、Ｄ２Ｄ通信を実装するために、搬送される情報の意味の制限された変化のみを伴って再使用される。特に、Ｄ２Ｄ通信の場合のＡＣＫ／ＮＡＣＫは、ＵＥ１１０または１１５で、ＰＵＳＣＨチャネル上で受信されるパケットに応答して生成され、Ｄ２ＤコンパニオンＵＥ１１０または１１５により送信される。これは、ＡＣＫ／ＮＡＣＫ情報が、ＰＤＳＣＨ上で受信されるパケットに応答して生成される、セルラー通信の事例とは異なる。ＡＣＫ／ＮＡＣＫは、受信するＵＥ１１５または１１０によりそれぞれのサービングセルにＰＵＣＣＨ上で送信され、次いで、ＰＨＩＣＨ上で、送信するＵＥ１１０または１１５に、（知られている）ハイブリッド−ＡＲＱ（Ｈ−ＡＲＱ）手順によって転送される。
【０１３１】
本発明の代替的実施形態では、移動通信ネットワーク１００内のレイテンシを低減するために、ＡＣＫ／ＮＡＣＫは、ＵＥ１１０および１１５で、ならびに、ｅノードＢ１０５のサービングセルでの両方で同時に受信される。この方途ではＵＥ１１０および１１５は、ＮＡＣＫに関連付けられる受信されないパケットの再送信を用意することが可能であり、一方で移動通信ネットワーク１００は、次のスケジューリンググラントを用意すること、および、（以下で説明されるように）関連付けられる送信電力レベルを制御することが可能である。
【０１３２】
本発明の実施形態によれば、ＣＱＩは便法として、Ｄ２Ｄ通信のために、ＬＴＥ／ＬＴＥ−Ａ標準に対するわずかな異なる実装のみを伴って再使用される。Ｄ２Ｄ通信に関与するＵＥ１１０および１１５は、２つの異なるＣＱＩ値を推定および報告すべきである。これらの２つのＣＱＩ値は、以下では「セルラーＣＱＩ」および「Ｄ２Ｄ  ＣＱＩ」と指し示される。
【０１３３】
セルラーＣＱＩは、典型的にはセルラー通信モードでのＵＥ１１０および１１５により推定されるＣＱＩと同一である。セルラーＣＱＩ値は、ＵＥ１１０および１１５により、それらのＵＥのサービングセルに対して経験されるＰＤＳＣＨの品質に関係付けられる。
セルラーＣＱＩは、リリース８で規定される共通基準信号（Ｃｏｍｍｏｎ  Ｒｅｆｅｒｅｎｃｅ  Ｓｉｇｎａｌ）（ＣＲＳ）、または、リリース１０で規定されるチャネル状態情報−基準信号（ＣＳＩ−ＲＳ）を使用することにより推定され得るものであり、それらの信号は両方とも、ＵＥ１１０および１１５にサービスするセルにより送信される。セルラーＣＱＩは、例えば、ＰＤＣＣＨチャネルの送信のために使用される制御チャネル要素（ＣＣＥ）の数の計算などでの、移動通信ネットワーク１００により実行される手順との融和性のために必要である。
【０１３４】
加えて、サービングセルでセルラーＣＱＩが利用可能であることによって、（以下で説明されるように）Ｄ２Ｄ通信リンクが突然さらに悪くなる場合に、セルラー通信の高速再開が確かなものになる。セルラーＣＱＩはさらには、ＵＥ１１０および／または１１５が、移動通信ネットワーク１００とのセルラー通信リンク、ならびに、コンパニオンＵＥ１１５および／または１１０とのＤ２Ｄ通信リンクの両方を確立したときに必要とされる。
【０１３５】
Ｄ２Ｄ  ＣＱＩ値は、ＵＥ１１０および／または１１５により、Ｄ２Ｄ通信に関与するコンパニオンＵＥ１１５および／または１１０に対して経験されるＰＵＳＣＨの品質に関係付けられる。Ｄ２Ｄ  ＣＱＩは、ＵＥ１１０または１１５で、ＰＵＳＣＨ上の、コンパニオンＵＥ１１５または１１０により送信される復調基準信号（ＤＭＲＳ）によって推定され得る。Ｄ２Ｄ  ＣＱＩの目的は、ｅノードＢ１０５および／または３０５が、Ｄ２Ｄ通信リンクに関する容量を最大化する、最も適切な変調およびコーディングスキーム（ＭＣＳ）を選択することを可能とすることである。ｅノードＢ１０５および／または３０５のサービング無線トランシーバは、Ｄ２Ｄ  ＣＱＩを、サービスされるＵＥ１１０および／または１１５から受信し、アップリンクスケジューリンググラントをＰＤＣＣＨ上で、対応するコンパニオンＵＥ１１５および／または１１０に送信するものであり、アップリンクスケジューリンググラントは、リソースブロック（ＲＢ）およびＭＣＳの適切な数を割当てる。
【０１３６】
例えば、ｅノードＢ１０５のセルが、物理リソースの割当てを実施する移動通信ネットワーク１００内のエンティティであるということを考慮することにより、Ｄ２Ｄ通信に割当てられるＲＢは、Ｄ２Ｄ通信を実施しているＵＥ１１０および１１５に独占的に割当てられるということが可能であり、または、空間再使用距離が、干渉を回避するために十分であるならば、さらにはセルラー通信のために再使用されるということが可能である。Ｄ２Ｄ通信に割当てられるＲＢを、さらにはセルラー通信のために再使用する可能性は、ｅノードＢにより、ＵＥ１１０および１１５のＤ２Ｄ通信に起因するアップリンク干渉を測定することにより推定され得る。いずれの場合にも、ＵＥ１１０および１１５により引き起こされる干渉は、ｅノードＢにより、例えば、スケジューリンググラントによって割り当てられるＲＢおよびＭＣＳを活かすことにより制御され得る。
【０１３７】
セルラーおよびＤ２Ｄ通信に対するＣＱＩ報告スキーム（すなわち、ＣＱＩメッセージの周期的送信）の例が、それぞれ図８Ａおよび８Ｂで図示される。図８Ａは、セルラー通信に関与し、５ｍｓの周期的報告レートによって構成されるときの、ＵＥ１１０および１１５に対する、ＰＵＣＣＨチャネル上のＣＱＩ報告を示す。図８Ｂは、Ｄ２Ｄ通信に関与し、２ｍｓの周期的報告レートによって構成されるときの、ＵＥ１１０および１１５に対する、やはりＰＵＣＣＨチャネル上のＣＱＩ報告を示す。
【０１３８】
Ｄ２Ｄ通信では、セルラーＣＱＩおよびＤ２Ｄ  ＣＱＩ報告は、単純に、時間的に多重化され、交互になるＰＵＣＣＨスロットで搬送され得る。これは、（図８Ｂに示されるように）ＣＱＩ報告周波数を、Ｄ２Ｄ通信に関与するＵＥ１１０および１１５に対して２倍にすることにより容易に実装され得る。セルラーＣＱＩの報告レートは、セルラー通信のＣＱＩ報告周波数と比較して、ほとんど変化させられないことになるということが留意さ
れるべきである。例えば、異なる報告レートをセルラーＣＱＩおよびＤ２Ｄ  ＣＱＩに対して規定すること、または、セルラーＣＱＩ、および、セルラーＣＱＩとＤ２Ｄ  ＣＱＩとの間の差を（同じまたは異なるＰＵＣＣＨメッセージで）送出することによる差分送信を使用することなどの、他の構成が、言うまでもなく可能である。
【０１３９】
本発明の好まれる実施形態では、スケジューリング要求（ＳＲ）が、Ｄ２Ｄ通信の状態のＵＥ１１０および１１５から移動通信ネットワーク１００に、ＰＵＣＣＨチャネルによって、そのようなＵＥが、対応するスケジューリンググラントを移動通信ネットワーク１００により提供されるように送出される。
【０１４０】
一度Ｄ２Ｄ通信がＵＥ１１０と１１５との間で確立されると、移動通信ネットワーク１００は、時折、例えば周期的に、Ｄ２Ｄ通信がセルラー通信に対して依然として好都合であるかどうかをチェックし得る。
【０１４１】
本発明の実施形態では、Ｄ２Ｄ通信への切り替えることの後、ｅノードＢ１０５は、繰り返し（例えば、周期的またはランダムに）、接続されるＵＥ１１０および１１５の、送信電力節約ＰＳ１および／もしくはＰＳ２、または、ＰＳ’１および／もしくはＰＳ’２を（上記で説明された発見手順を反復することにより）監視することを、電力節約ＰＳ１および／もしくはＰＳ２、または、ＰＳ’１および／もしくはＰＳ’２が、電力節約しきい値ＴＨＤ２Ｄより上である（または、少なくともそのしきい値に等しい）ままであるかどうか（すなわち、Ｄ２Ｄ通信が電力の見地で好都合であるということ）を確認するために行う。電力節約ＰＳ１および／もしくはＰＳ２、または、ＰＳ’１および／もしくはＰＳ’２結果が、電力節約しきい値ＴＨＤ２Ｄより低下するならば、対応するＤ２Ｄ通信は終結させられ、セルラー通信により置換される。
【０１４２】
有利には、（第１の）電力節約しきい値ＴＨＤ２Ｄより低い第２の電力節約しきい値ＴＨｃｅｌｌが規定され得る。送信電力節約ＰＳ１および／もしくはＰＳ２、または、ＰＳ’１および／もしくはＰＳ’２が、第２の電力節約しきい値ＴＨｃｅｌｌより下に降下するとき、ｅノードＢ１０５は、対応するＤ２Ｄ通信を終了し、セルラー通信に戻って再開するものであり、すなわち、
ＰＳ１，２またはＰＳ’１，２≦ＴＨｃｅｌｌ＜ＴＨＤ２Ｄ  セルラー通信に復帰する  （１１）
である。
【０１４３】
第２の電力節約しきい値ＴＨｃｅｌｌは、第１の電力節約しきい値ＴＨＤ２Ｄより好適に低く選択されるものであり、そのことは、第１の電力節約しきい値ＴＨＤ２Ｄの近隣で変動する送信電力節約ＰＳ１および／またはＰＳ２により引き起こされる、Ｄ２Ｄ通信からセルラー通信への、およびその逆の、セルラー通信からＤ２Ｄ通信への頻繁な切り替えることを防止するヒステリシスを創出するためのものである。
【０１４４】
加えて、または、代替方法として、サウンディング参照信号（サウンディング基準信号；Ｓｏｕｎｄｉｎｇ  Ｒｅｆｅｒｅｎｃｅ  Ｓｉｇｎａｌ）（ＳＲＳ）および／または復調基準信号（ＤＭＲＳ）と連関する、Ｄ２Ｄ  ＣＱＩおよびセルラーＣＱＩがさらには、移動通信ネットワーク１００により、Ｄ２Ｄ通信がセルラー通信に好都合に切り替えられなければならないか否かを判断するために使用され得る。
【０１４５】
ＳＲＳおよび／またはＤＭＲＳは、アップリンクでのチャネル品質を推定するために使用され得る。Ｄ２Ｄ  ＣＱＩとセルラーＣＱＩとの間の比較に基づいて、例えば、Ｄ２Ｄ
ＣＱＩ≦セルラーＣＱＩであるならば、移動通信ネットワーク１００は、ＳＲＳ送信をトリガし得るものであり、ならびに／または、ＵＥ１１０および１１５の両方のＤＭＲＳ
送信を測定することを開始し得る。ＳＲＳおよび／またはＤＭＲＳ送信の測定内容に基づいて、移動通信ネットワーク１００は、Ｄ２Ｄ通信をセルラー通信に切り替えることを決定し得る。実際には、Ｄ２Ｄ通信と比較されることになるセルラー通信の品質をより良好に推定するために、セルラーＣＱＩ（ｅノードＢからの、および、１つのＵＥに向けてのダウンリンクチャネル品質を推定するために必要とされる）に加えて、ＤＭＲＳおよび／またはＳＲＳに基づく測定内容が、第２のＵＥとｅノードＢとの間のアップリンクのアップリンクチャネル品質を推定する一助となる。ＳＲＳ／ＤＭＲＳ測定内容に基づいてｅノードＢは、ＳＩＮＲ（信号対干渉プラス雑音比）、および次いで、アップリンクでの利用可能な容量を推定し得るものであり、セルラーＣＱＩと連関して、それらはＤ２Ｄ  ＣＱＩと比較され得る。
【０１４６】
例えば、発見手順の反復は、Ｄ２Ｄ通信を維持すべきか、それとも、セルラー通信に戻るように切り替えるべきかを判定するために、比較的低い頻度で（例えば、例えば１０フレームごとなどの、数百ミリ秒の程度で）周期的に実施され得るものであり、その理由は、それが専用ＰＲＡＣＨプリアンブル送信を要するからというものであり、一方で、Ｄ２Ｄ  ＣＱＩ、セルラーＣＱＩ、ＳＲＳ、および、ＤＭＲＳに基づく判定は、より頻繁に（例えば、例えば毎フレームなどの、ミリ秒の程度で）実施され得るものであり、その理由は、Ｄ２Ｄ  ＣＱＩ、セルラーＣＱＩ、ＳＲＳ、および、ＤＭＲＳはすでに、ｅノードＢ１１０および／または１１５に、Ｄ２Ｄおよびセルラー通信の間に報告されるからというものである。
【０１４７】
移動通信ネットワーク１００が、Ｄ２Ｄ通信の状態のＵＥ１１０および１１５により生成される干渉を制御することを可能とするさらなる要素は、ＰＤＣＣＨ上でＤＣＩフォーマット３および３Ａによって閉ループ電力制御手順に対して送信される電力制御ビットである。電力制御ビットは、Ｄ２Ｄ通信の状態のＵＥ１１０および／または１１５により送信される信号の電力レベルを制限するために使用され得る。例えば、ＰＵＳＣＨ上で送信される信号に対する電力制御ビットは、以下のメトリックまたは測定の１つまたは複数の適した関数として導出され得る。
【０１４８】
−  どれだけ多くの送信電力が、ＵＥが使用するために、現在の送信により使用されている電力に加えて残されているかを指示する、ＵＥ送信電力ヘッドルーム（ＰＨＲ：Ｐｏｗｅｒ  ＨｅａｄＲｏｏｍ）
−  Ｄ２Ｄ  ＣＱＩ
−  後に続くように、受信されるＡＣＫおよびＮＡＣＫのパーセンテージに関して推定されるブロックエラーレート（ＢＬＥＲ：ＢＬｏｃｋ  Ｅｒｒｏｒ  Ｒａｔｅ）
【０１４９】
【数１３】
2018033166.tif 000017
【０１５０】
一般的には、ｅノードＢ１０５のサービング無線トランシーバにより、電力制御ビットの算出のために使用される関数であって、それらの電力制御ビットが次いで、ＰＤＣＣＨ上で、Ｄ２Ｄ通信に関与するＵＥ１１０および１１５に送出される関数は、後に続くように表現され得る。
ＣＬＰＣｂｉｔ＝ｆ［ＰＨＲ，ＣＱＩＤ２Ｄ，ＢＬＥＲｅｓｔ］  （１３）
ただしＣＬＰＣｂｉｔは、ＰＤＣＣＨ上で、Ｄ２Ｄ通信の状態の送信するＵＥ１１０および／または１１５に送出される電力制御ビットであり、ＰＨＲは、ＵＥ１１０および／または１１５により報告される電力ヘッドルームであり、ＢＬＥＲｅｓｔは、ＰＵＣＣＨ上で受信されるＡＣＫ／ＮＡＣＫフローに対する、サービング無線トランシーバにより推定
されるＢＬＥＲであり、ＣＱＩＤ２Ｄは、ＰＵＣＣＨ上で、受信する（コンパニオン）ＵＥ１１５および／または１１０により報告されるＤ２Ｄ  ＣＱＩである。
【０１５１】
本発明の実施形態では、無線リソース制御（ＲＲＣ：Ｒａｄｉｏ  Ｒｅｓｏｕｒｃｅ  Ｃｏｎｔｒｏｌ）シグナリングに対する制御フローおよびデータフローの分離が、さらには提供される。専用ＲＲＣメッセージが、シグナリング無線ベアラ（ＳＲＢ）を介して伝送され、それらのベアラは、パケットデータコンバージェンスプロトコル（ＰＤＣＰ）および無線リンク制御（ＲＬＣ）レイヤによって論理チャネルにマッピングされ、それらのチャネルは、ＲＲＣ接続確立の間の共通制御チャネル（ＣＣＣＨ：Ｃｏｍｍｏｎ  Ｃｏｎｔｒｏｌ  Ｃｈａｎｎｅｌ）、または、ＵＥ１１０および１１５がすでにＲＲＣ接続された状態であるときの専用制御チャネル（ＤＣＣＨ：Ｄｅｄｉｃａｔｅｄ  Ｃｏｎｔｒｏｌ
Ｃｈａｎｎｅｌ）のいずれかを含む。ＣＣＣＨおよびＤＣＣＨは両方とも、物理レイヤレベルでＰＤＳＣＨにマッピングされる。システム情報およびページングメッセージは直接、論理チャネルに、すなわち、ブロードキャスト制御チャネル（ＢＣＣＨ：Ｂｒｏａｄｃａｓｔ  Ｃｏｎｔｒｏｌ  Ｃｈａｎｎｅｌ）に、および、ページング制御チャネル（ＰＣＣＨ：Ｐａｇｉｎｇ  Ｃｏｎｔｒｏｌ  Ｃｈａｎｎｅｌ）にそれぞれマッピングされる。図９Ａで図式化されるように、ＰＣＣＨはＰＤＳＣＨにマッピングされ、一方でＢＣＣＨは、ＰＢＣＨ（マスタ情報ブロック、ＭＩＢに対して）またはＰＤＳＣＨ（システム情報ブロック、ＳＩＢに対して）のいずれかにマッピングされる。
【０１５２】
単一の受信器チェーンによって装備されるＵＥ１１０および１１５の場合には、ＵＥ１１０および１１５での（サービング基地局により送信される）ダウンリンクＲＲＣシグナリングの受信は、サブフレーム０、４、５、および、９で、または、Ｄ２Ｄ通信の状態のＵＥ１１０および１１５が送信器として働くサブフレームで、何らの修正もなく達成され得るということが留意されるべきである。一般的には、ＲＲＣシグナリングの送信に対する期間は、Ｄ２Ｄ通信に関与するものを含む、移動通信ネットワーク１００のカバレッジの全体のエリアの内部のすべてのＵＥが、そのような情報を受信することを可能とするように、移動通信ネットワーク１００によりセットされ得る。
【０１５３】
アップリンクでは、図９Ｂで察知され得るように、ＣＣＣＨおよびＤＣＣＨは両方とも、ＰＵＳＣＨにマッピングされる。この場合には、Ｄ２Ｄ通信に対する低い電力でのデータ送信、および、同じ物理チャネル（すなわち、ＰＵＳＣＨ）上でのより高い電力での制御情報送信の問題が存し得る。この問題は、異なる方途で解決され得る。
【０１５４】
例えば、アップリンク制御情報は、３ＧＰＰ  ＴＳ３６．２１２Ｖ８．８．０（２００９−１２、セクション５．２．４）で指定されるように、ＰＵＳＣＨ上で、ＵＬ−ＳＣＨデータなしで送信される。代替方法として、異なる電力スケーリング因子が、データおよび制御情報に適用され得る。データおよび制御情報が、異なるＳＣ−ＦＤＭＡサブキャリアにマッピングされるということを考慮すると、データおよび制御情報送信は別々に復調され得るものであり、すなわち、データはコンパニオンＵＥ１１５および／または１１０により復調され、制御情報はサービング無線トランシーバにより復調される。この代替的解決策は、ＵＥ１１０および１１５のアップリンクＳＣ−ＦＤＭＡベースバンド送信器に対する若干の軽度の変化を要する。
【０１５５】
本発明の実施形態による、例示的なアップリンクＳＣ−ＦＤＭＡベースバンド送信器１００５の概略機能ブロック線図が、図１０で図示される。アップリンクＳＣ−ＦＤＭＡベースバンド送信器１００５は、多重化部分１０１０と、２つの組み合わせ要素１０１５および１０２０とを備え、それらの組み合わせ要素は、それぞれ、電力スケーリング因子γｃｅｌｌｕｌａｒおよびγＤ２Ｄを、制御情報と（例えば、ＣＣＣＨ／ＤＣＣＨ上で）、および、Ｄ２Ｄ通信データ情報と（例えば、専用トラフィックチャネル  −  ＤＴＣＨ上
で）導入する（例えば、それらの情報と乗算する）ものである。換言すれば、電力スケーリング因子γｃｅｌｌｕｌａｒおよびγＤ２Ｄは、それぞれ、サービング無線トランシーバに送信されることになる制御／データ情報（すなわち、ＲＣＣシグナリング）、ならびに、（制御／データパケットとしての）コンパニオンＵＥ１１５および／または１１０へのＤ２Ｄ通信データをスケーリングするために使用される。それぞれの電力因子と組み合わされる制御／データ情報は、それぞれの変調要素１０２５および１０３０により、変調される複素シンボルのシーケンスを形成するために変調され、それらのシンボルは次いで、多重化要素１０３５により多重化される。次いで、多重化および変調される複素シンボルが、多重化部分１０１０から離散フーリエ変換（ＤＦＴ）プリコーダ１０４０に伝送される。離散フーリエ変換（ＤＦＴ）プリコーダ１０４０は、多重化および変調される複素シンボルを処理して、対応するＤＦＴシンボルを取得する。次いで、サブキャリアマッピング要素１０４５が、ＤＦＴシンボルを受信し、１つ（または複数）のサブキャリアにマッピングして、周波数ドメインでの複素シンボルのセットを取得する。周波数ドメインでの複素シンボルは次いで、逆ＦＦＴ（ＩＦＦＴ）要素１０５０によって受信され、時間ドメインシンボルに変換される。その後でＣＰ挿入要素１０５５が、時間ドメインシンボルを受信し、サイクリックプレフィックス（ＣＰ）をそれらのシンボルに追加する。
【０１５６】
さらなる代替方法として、データおよび制御パケットは、同じＴＴＩ内の異なるサブフレーム上で、または、異なるＲＢ内で送信され得る。
【０１５７】
上記で説明された本発明の実施形態では、２つの異なる電力制御アルゴリズムが、並列で、それぞれ、データパケットおよび制御パケットに対して動作する。データパケットに関係付けられる電力制御は、サービング無線トランシーバにより、ＰＨＲ、ＡＣＫ／ＮＡＣＫ、および、Ｄ２Ｄ  ＣＱＩ（式１３を確認されたい）のような、報告される測定を使用して管理される。ＰＵＳＣＨ上で無線トランシーバに向けて送信される制御パケットの電力制御は、ＰＵＳＣＨおよびＰＵＣＣＨで使用される保護の異なるレベルを考慮に入れるために、適したオフセットを伴ってＰＵＣＣＨに対して使用される電力制御に基づくものであり得る。
【０１５８】
ＵＥ１１０および１１５により移動通信ネットワーク１００に送信される別の信号は、バッファステータス報告（ＢＳＲ：Ｂｕｆｆｅｒ  Ｓｔａｔｕｓ  Ｒｅｐｏｒｔ）である。ＢＳＲは、無線トランシーバ内のスケジューラに対して、スケジューラによりＵＥ１１０および１１５に送出されるスケジューリンググラントを適正に構成するために必要とされる。例えばＢＳＲは、ＵＥ１１０および１１５により、図１０で図式化されるＳＣ−ＦＤＭＡ送信器により実装されるデータ／制御多重化スキームを使用して、ＤＣＣＨ上で送信され、ＰＵＳＣＨにマッピングされ得る。
【０１５９】
本発明の実施形態では、グループＤ２Ｄ通信、すなわち、２つだけよりも多いＵＥの間のＤ２Ｄ通信がサポートされ得る。
【０１６０】
グループＤ２Ｄ通信をサポートするために、以下の修正が、上記で説明された手順に対して適用される。
【０１６１】
（３つ以上の）ＵＥのグループが、接続されるモードであり、互いとのグループセルラー通信の状態にあるということが想定されるものとする。ＵＥグループのＵＥであって、ＰＲＡＣＨプリアンブルを送信するように（そのＵＥのサービング無線トランシーバにより）指令されるＵＥの通信パラメータが、次いで、移動通信ネットワークにより、ＵＥグループのすべての他のＵＥに伝達される。好ましくは、（発見手順の上記で説明された段階でのように）セルラー通信リンクをＤ２Ｄ通信リンクに切り替えるべきかどうかを判断するためにネットワークにより判定されることになる、上述で説明された判断基準が、Ｕ
ＥグループのＵＥの各々の対に対してチェックされ、対称または非対称Ｄ２Ｄ通信が、ＵＥグループのＵＥの各々の対の間で、何がＵＥの他の対に対して行われるかに無関係に活動化され得る。ＵＥグループのＵＥの決まった対の間で確立される各々のＤ２Ｄ通信リンクに対する電力節約が、次いで、ネットワークにより、先に論考されたように、対応するＤ２Ｄ通信リンクが悪変する場合に、セルラー通信リンクに戻るように切り替えるために監視される。
【０１６２】
グループＤ２Ｄ通信では、ＵＥグループのＵＥが、ＵＥグループのすべての他のＵＥとＤ２Ｄ通信リンクを確立することが可能であるとは限らない、すなわち、決まったＵＥは、（そのような決まったＵＥのコンパニオンＵＥとなる）ＵＥグループのＵＥのサブセットのみとＤ２Ｄ通信リンクを確立することが可能であるということが起こり得る。この場合には、本発明の実施形態では移動通信ネットワーク１００は、ＵＥグループの送信するＵＥにより送信されるデータパケットを受信し、次いで、そのようなデータパケットをダウンリンクで、送信するＵＥがＤ２Ｄ通信リンクを確立していない、ＵＥグループのすべてのＵＥに向けてミラーリングする。本発明による代替的実施形態では、送信するＵＥがＤ２Ｄ通信リンクを確立している、ＵＥグループの１つまたは複数のＵＥは、送信するＵＥがＤ２Ｄ通信リンクを確立していない、ＵＥグループの残りのＵＥに対して中継器として働くものであり、ただし、そのような中継器ＵＥが、そのような残りのＵＥとＤ２Ｄ通信リンクを確立しているということを条件とする。本発明のこの代替的実施形態は、Ｄ２Ｄ通信とセルラー通信との間のより低い干渉レベルを伴う、移動通信ネットワーク１００に対する、より良好な電力節約を実現する。
【０１６３】
グループＤ２Ｄ通信に関与する各々のＵＥに送信されるスケジューリンググラントがさらには、このＵＥに直接接続される、ＵＥグループの他のＵＥに伝達される。
【０１６４】
送信するＵＥとのＤ２Ｄ通信の状態の（コンパニオン）ＵＥのサブセットにより報告されるＡＣＫ／ＮＡＣＫに基づいて、送信するＵＥのサービングｅノードＢは、少なくとも１つのコンパニオンＵＥが、送信されるデータパケットを受信していないならば、データパケットの再送信を、送信するＵＥに要求することになる。レイテンシを低減するために、送信するＵＥは、コンパニオンＵＥのＡＣＫ／ＮＡＣＫ信号を受信および復号することと、コンパニオンＵＥの少なくとも１つが、送信されるデータパケットを受信していないならば、送信されるデータパケットを直接再送信することとを行うように構成され得る。その他の方法では、（遅延の観点からは、より効率的でない）本発明の別の実施形態では、送信するＵＥのサービングｅノードＢは、コンパニオンＵＥから受信されるいかなるＮＡＣＫも、送信するＵＥにミラーリングすることになる。
【０１６５】
ＵＥグループの各々のＵＥは、Ｄ２Ｄ  ＣＱＩを、そのＵＥがＤ２Ｄ通信リンクを確立している各々のＵＥに対して、すなわち、そのＵＥのコンパニオンＵＥの各々に送信する。送信するＵＥのサービングｅノードＢは、送信するＵＥとのＤ２Ｄ通信の状態のコンパニオンＵＥにより送出されるすべてのＤ２Ｄ  ＣＱＩを受信し、最も低い値を有するＤ２Ｄ  ＣＱＩを使用して、送信するＵＥのスケジューリンググラントで構成されることになるＭＣＳを導出する。他のより無難でないＭＣＳ選択判断基準が考慮される場合がある。
【０１６６】
閉ループ電力制御では、電力制御指令は、１つの送信するＵＥとのＤ２Ｄ通信の状態にある、ＵＥグループのコンパニオンＵＥにより報告されるすべてのＤ２Ｄ  ＣＱＩの関数である。
【０１６７】
本発明により、移動通信ネットワーク１００は、ＵＥ間のＤ２Ｄ通信リンクの、セットアップすることおよび経過の両方を、そのネットワークの制御のもとにある状態にしておくことが可能である。このことによって有利には、ネットワークが、Ｄ２Ｄ通信により従
来のセルラー通信上で引き起こされる干渉を制御することが可能となる。その上、正規のセルラー通信は、バックアップとして利用可能なままであり、ＵＥ間のＤ２Ｄ通信リンクが悪変する場合のサービス継続性を確かなものにする。さらなる利点は、課金機能が、移動通信ネットワーク１００によりＤ２Ｄ通信に対して容易に実装され得るということであり、その理由は、Ｄ２Ｄ通信で交換されるデータパケットの分量が、移動通信ネットワーク１００により継続的に規定および監視されるからというものである。
【０１６８】
本発明による解決策の配備は、制限された影響をＬＴＥ／ＬＴＥ−Ａ標準に及ぼすものであり、その理由は、上述で詳細に説明されたように、ＬＴＥ／ＬＴＥ−Ａシステムに対してすでに規定されたチャネルおよび手順の、広範囲で効率的な再使用が提案されるからというものである。
【０１６９】
さらに本発明の実施形態は、例えば警察力により執行される合法的な傍受を、さらにはＤ２Ｄ通信に対して容易に実施することを可能とするものであり、その理由は、Ｄ２Ｄ通信が移動通信ネットワーク１００により制御されるからというものである。
【０１７０】
それでも本発明の実施形態により、スペクトル効率の増強（すなわち、ダウンリンクリソースの節約に、アップリンクリソースの増大される空間再使用に、および、Ｄ２Ｄ通信に専用の無線リソースの動的割当てに由来する）を実現することが可能である。
【図１】
2018033166.tif 000018
【図２】
2018033166.tif 000019
【図３】
2018033166.tif 000020
【図４】
2018033166.tif 000021
【図５】
2018033166.tif 000022
【図６】
2018033166.tif 000023
【図７Ａ】
2018033166.tif 000024
【図７Ｂ】
2018033166.tif 000025
【図８Ａ】
2018033166.tif 000026
【図８Ｂ】
2018033166.tif 000027
【図９Ａ】
2018033166.tif 000028
【図９Ｂ】
2018033166.tif 000029
【図１０】
2018033166.tif 000030
【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
移動通信ネットワークを動作させる方法であって、該移動通信ネットワークは、移動通信デバイスにサービスする複数の無線トランシーバ局を含み、前記移動通信ネットワークは、移動通信デバイス間の通信を管理し、
ａ）前記複数の無線トランシーバ局のうちの第１の無線トランシーバ局が、前記第１の無線トランシーバ局によりサービスされる第１の移動通信デバイスに対して、プローブ信号の送信を指令するステップと、
ｂ）前記第１の無線トランシーバ局が、前記第１の移動通信デバイスにより送信される前記プローブ信号の第１の測定により得られたものを受信するステップであって、前記第１の測定は第２の移動通信デバイスにより行われる、ステップと
を含む方法において、
ｃ）前記第１の無線トランシーバ局が、前記第２の移動通信デバイスに対して、前記第１の移動通信デバイスにより送信される前記プローブ信号を受信するために、前記第２の移動通信デバイスに有用なパラメータを提供するステップと、
ｄ）前記第１の無線トランシーバ局が、前記第１の移動通信デバイスにより送信される前記プローブ信号の第２の測定を行うステップと、
ｅ）前記第１の無線トランシーバ局が、前記第１の測定により得られたものと前記第２の測定により得られたものとを比較するステップと、
ｆ）前記第１の無線トランシーバ局が、前記第２の移動通信デバイスに向けての前記第１の移動通信デバイスの通信の、直接デバイスツーデバイス通信への切り替えを、前記比較するステップの結果に基づいて指令するステップと、
前記第２の移動通信デバイスに向けての前記第１の移動通信デバイスの通信が前記直接デバイスツーデバイス通信である間に、
前記第１の無線トランシーバ局が、前記第１の移動通信デバイスに対して、復調基準信号を前記第２の移動通信デバイスに送出するように指令し、
前記複数の無線トランシーバ局のうちの第２の無線トランシーバ局であって、前記第２の移動通信デバイスにサービスし、前記第１の無線トランシーバ局と同一であるか又は異なる第２の無線トランシーバ局が、ダウンリンク基準信号を前記第２の移動通信デバイスに送出し、
前記第２の無線トランシーバ局が、直接チャネル品質インジケータとセルラーチャネル品質インジケータとを、交互に、あらかじめ決定された周期によって送出するように前記第２の移動通信デバイスに指令する
ステップであって、前記直接チャネル品質インジケータは、前記第２の移動通信デバイスにより、前記復調基準信号に基づいて計算され、前記セルラーチャネル品質インジケータは、前記第２の移動通信デバイスにより、前記ダウンリンク基準信号に基づいて計算される、ステップと
をさらに含む方法。
【請求項２】
請求項１に記載の方法であって、
ｇ）前記第２の無線トランシーバ局が、前記第２の移動通信デバイスに対して、前記プローブ信号の送信を指令するステップと、
ｈ）前記第２の無線トランシーバ局が、前記第１の移動通信デバイスに対して、前記第２の移動通信デバイスにより送信される前記プローブ信号を受信するために、前記第１の移動通信デバイスに有用なパラメータを提供するステップと、
ｉ）前記第２の無線トランシーバ局が、前記第２の移動通信デバイスにより送信される前記プローブ信号の第３の測定を行うステップと、
ｌ）前記第２の無線トランシーバ局が、前記第２の移動通信デバイスにより送信される前記プローブ信号の第４の測定により得られたものを受信するステップであって、前記第４の測定は前記第１の移動通信デバイスにより行われる、ステップと、
ｍ）前記第２の無線トランシーバ局が、前記第３の測定により得られたものと前記第４の測定により得られたものとを比較するステップと、
ｎ）前記第２の無線トランシーバ局が、前記第１の移動通信デバイスに向けての前記第２の移動通信デバイスの通信の直接デバイスツーデバイス通信への切り替えを、ステップｍ）における前記比較の結果に基づいて指令するステップと
をさらに含む方法。
【請求項３】
請求項２に記載の方法であって、
第１の無線トランシーバ局が、前記第１の無線トランシーバ局によりサービスされる前記第１の移動通信デバイスに対して、プローブ信号の送信を指令するステップ、および、前記第２の無線トランシーバ局が、前記第２の移動通信デバイスに対して、前記プローブ信号の送信を指令するステップは、
前記第１の無線トランシーバ局および第２の無線トランシーバ局が、それぞれ、前記第１の移動通信デバイスおよび第２の移動通信デバイスに対して、前記プローブ信号を、物理ランダムアクセスチャネルＰＲＡＣＨによって送信するように指令するステップを含む、
方法。
【請求項４】
請求項２または３に記載の方法であって、
前記第１の測定により得られたものと前記第２の測定により得られたものとを比較する前記ステップは、前記第２の測定により得られたものに対する前記第１の測定により得られたものの第１の比を第１のしきい値と比較するステップを含み、前記第３の測定により得られたものと前記第４の測定により得られたものとを比較する前記ステップは、前記第３の測定により得られたものに対する前記第４の測定により得られたものの第２の比を前記第１のしきい値と比較するステップを含み、
前記第１の比が前記第１のしきい値を上回る場合に、前記第１の無線トランシーバ局は、前記第２の移動通信デバイスに向けての前記第１の移動通信デバイスの通信の前記直接デバイスツーデバイス通信への前記切り替えを指令し、
前記第２の比が前記第１のしきい値を上回る場合に、前記第２の無線トランシーバ局は、前記第１の移動通信デバイスに向けての前記第２の移動通信デバイスの通信の直接デバイスツーデバイス通信への前記切り替えを指令する、
方法。
【請求項５】
請求項２から４の何れか一項に記載の方法であって、前記第２の移動通信デバイスに向けての前記第１の移動通信デバイスの通信及び前記第１の移動通信デバイスに向けての前記第２の移動通信デバイスの通信が前記直接デバイスツーデバイス通信である間に、
前記移動通信ネットワークが、前記第１の移動通信デバイスと前記第２の移動通信デバイスの少なくとも一方に、データパケットを前記第２の移動通信デバイスまたは前記第１の移動通信デバイスへと、物理アップリンク共有チャネルＰＵＳＣＨにより直接送出するよう指令するステップと、
前記移動通信ネットワークの前記第１の無線トランシーバ局および前記第２の無線トランシーバ局が、それぞれ前記第２の移動通信デバイスおよび前記第１の移動通信デバイスから直接受信されるデータパケットに対して、それぞれ、前記第１の移動通信デバイスおよび前記第２の移動通信デバイスから送出される成功／不成功受信メッセージの確認応答を受信するステップと、
前記移動通信ネットワークが、成功／不成功受信メッセージの前記確認応答を、それぞれ、前記第２の移動通信デバイスおよび前記第１の移動通信デバイスに転送するステップと
をさらに含む方法。
【請求項６】
請求項５に記載の方法であって、前記第２の移動通信デバイスに向けての前記第１の移動通信デバイスの通信及び前記第１の移動通信デバイスに向けての前記第２の移動通信デバイスの通信が前記直接デバイスツーデバイス通信である間に、
前記第１の無線トランシーバ局が、第１のダウンリンク制御情報メッセージＤＣＩを、前記第１の移動通信デバイスに送出し、前記第２の移動通信デバイスに転送するステップであって、前記第１のダウンリンク制御情報メッセージは、データパケットを前記物理アップリンク共有チャネルによって前記第２の移動通信デバイスに送出するために前記第１の移動通信デバイスに割当てられるリソースの第１の指示を含む、ステップと、
前記第２の無線トランシーバ局が、第２のダウンリンク制御情報メッセージを、前記第２の移動通信デバイスに送出し、前記第１の移動通信デバイスに転送するステップであって、前記第２のダウンリンク制御情報メッセージは、データパケットを前記物理アップリンク共有チャネルによって前記第１の移動通信デバイスに送出するために前記第２の移動通信デバイスに割当てられるリソースの第２の指示を含む、ステップと
をさらに含む方法。
【請求項７】
請求項６に記載の方法であって、前記第１のダウンリンク制御情報メッセージは、成功／不成功受信メッセージの確認応答と、制御パケットとの一方または双方を、物理アップリンク制御チャネルによって前記第１の無線トランシーバ局に送出するために、前記第１の移動通信デバイスに割当てられるリソースの第１のさらなる指示をさらに含み、
前記第２のダウンリンク制御情報メッセージは、成功／不成功受信メッセージの確認応答と、制御パケットとの一方または双方を、前記物理アップリンク制御チャネルによって前記第２の無線トランシーバ局に送出するために、前記第２の移動通信デバイスに割当てられるリソースの第２のさらなる指示をさらに含む、
方法。
【請求項８】
請求項７に記載の方法であって、前記第２の移動通信デバイスに向けての前記第１の移動通信デバイスの通信及び前記第１の移動通信デバイスに向けての前記第２の移動通信デバイスの通信が前記直接デバイスツーデバイス通信である間に、前記移動通信ネットワークが、送信時間窓のあらかじめ決定された送信間隔を、前記第１の移動通信デバイスおよび第２の移動通信デバイスに割当てられる前記リソースから、データアップリンク物理チャネルによる送信、および、前記物理アップリンク制御チャネルによる送信のために除外するステップをさらに含む、方法。
【請求項９】
請求項７または８に記載の方法であって、前記第２の移動通信デバイスに向けての前記第１の移動通信デバイスの通信及び前記第１の移動通信デバイスに向けての前記第２の移動通信デバイスの通信が前記直接デバイスツーデバイス通信である間に、前記移動通信ネットワークが、リソースを前記第１の移動通信デバイスおよび前記第２の移動通信デバイスの一方または双方に、送信時間窓のあらかじめ決定された送信間隔で割当てるステップであって、前記あらかじめ決定された送信間隔は、前記第１の移動通信デバイスおよび前記第２の移動通信デバイスの一方または双方が、それぞれ、前記第１のダウンリンク制御情報メッセージまたは前記第２のダウンリンク制御情報メッセージを受信した送信間隔の後に続く、ステップをさらに含む方法。
【請求項１０】
請求項７から９のいずれか一項に記載の方法であって、前記第１のダウンリンク制御情報メッセージは、第１の調整指示をさらに含み、前記第２のダウンリンク制御情報メッセージは、第２の調整指示をさらに含み、
前記方法は、
前記第１の移動通信デバイスが、前記第１の調整指示によって、前記データパケットと、成功／不成功受信メッセージの前記確認応答および前記制御パケットとの一方または双方を送出するために使用される第１のアップリンク送信電力を調整するステップと、
前記第２の移動通信デバイスが、前記第２の調整指示によって、前記データパケットと、成功／不成功受信メッセージの前記確認応答および前記制御パケットとの一方または双方を送出するために使用される第２のアップリンク送信電力を調整するステップと
をさらに含む、方法。
【請求項１１】
請求項１から１０のいずれか一項に記載の方法であって、前記第２の移動通信デバイスに向けての前記第１の移動通信デバイスの通信が前記直接デバイスツーデバイス通信である間に、請求項１のステップａ）からｅ）を周期的に反復するステップと、前記第２の移動通信デバイスに向けての前記第１の移動通信デバイスの通信の、前記移動通信ネットワークの無線トランシーバ局を通過する通信への切り替えを、前記第２の移動通信デバイスに向けての前記第１の移動通信デバイスの前記直接デバイスツーデバイス通信が、前記移動通信ネットワークの無線トランシーバ局を通過する通信に比べて、前記第１の移動通信デバイスに対するより高い送信電力を要するとステップｅ）における前記比較が明らかにする場合に、前記第１の無線トランシーバ局が指令するステップとをさらに含む方法。
【請求項１２】
請求項２から１１の何れか一項に記載の方法であって、
ｏ）前記第１の測定により得られたものを前記第２の測定により得られたものと比較する前記ステップの結果、および、前記第３の測定により得られたものを前記第４の測定により得られたものと比較する前記ステップの結果に基づいて、
前記第１の無線トランシーバ局及び前記第２の無線トランシーバ局が、それぞれ、前記第２の移動通信デバイスに向けての前記第１の移動通信デバイスの通信、および、前記第１の移動通信デバイスに向けての前記第２の移動通信デバイスの通信の、前記移動通信ネットワークの無線トランシーバ局を通過する通信から、直接デバイスツーデバイス通信への切り替え、もしくは、その逆の切り替えを指令するか、または、
前記第１の無線トランシーバ局及び前記第２の無線トランシーバ局が、それぞれ、前記第２の移動通信デバイスに向けての前記第１の移動通信デバイスの通信、および、前記第１の移動通信デバイスに向けての前記第２の移動通信デバイスの通信を、前記移動通信ネットワークの無線トランシーバ局を通過する通信として、もしくは、前記直接デバイスツーデバイス通信として維持する
ステップと
をさらに含む方法。
【請求項１３】
移動通信デバイス間の通信を管理するように構成された移動通信ネットワークであって、複数の無線トランシーバ局を含み、請求項１から１２のいずれか一項に記載の方法を実施するように構成された移動通信ネットワーク。
【請求項１４】
移動通信ネットワークによって通信するように構成された第１の移動通信デバイスを動作させる方法であって、前記移動通信ネットワークは、移動通信デバイスにサービスするための複数の無線トランシーバ局を含み、前記方法は、
ａ）前記第１の移動通信デバイスが、前記第１の移動通信デバイスにサービスしている、前記複数の無線トランシーバ局のうちの第１の無線トランシーバ局からの指令に応答して、プローブ信号を送信するステップと、
ｂ）前記第１の移動通信デバイスが、第２の移動通信デバイスにより送信されるプローブ信号を受信するために、前記第１の移動通信デバイスに有用なパラメータを受信するステップであって、前記パラメータは、前記複数の無線トランシーバ局のうちの第２の無線トランシーバ局であって、前記第２の移動通信デバイスにサービスし、前記第１の無線トランシーバ局と同一であるか又は異なる第２の無線トランシーバ局により提供される、ステップと、
ｃ）前記第１の移動通信デバイスが、前記第２の移動通信デバイスにより送信されるプローブ信号の測定を行うステップと、
ｄ）前記第１の移動通信デバイスが、前記第１の無線トランシーバ局に対して、前記第２の移動通信デバイスにより送信される前記プローブ信号の前記測定により得られたものを提供するステップと、
ｅ）前記第１の移動通信デバイスが、前記第２の移動通信デバイスに向けての通信を、直接デバイスツーデバイス通信に、前記第１の無線トランシーバ局からの指令に応答して切り替えるか、または、
ｆ）前記第１の移動通信デバイスが、前記第２の移動通信デバイスに向けての通信を、前記移動通信ネットワークの無線トランシーバ局を通過する通信に、前記第１の無線トランシーバ局からの指令に応答して切り替える
ステップと、
前記第１の移動通信デバイスから前記第２の移動通信デバイスに向けての通信が前記直接デバイスツーデバイス通信である間に、前記第１の移動通信デバイスが、前記第１の無線トランシーバ局に対して、直接チャネル品質インジケータおよびセルラーチャネル品質インジケータを、交互に、あらかじめ決定された周期によって送出するステップであって、前記直接チャネル品質インジケータは、前記第２の移動通信デバイスから受信した復調基準信号に基づいて前記第１の移動通信デバイスにより計算され、前記セルラーチャネル品質インジケータは、前記第１の無線トランシーバ局から受信したダウンリンク基準信号に基づき前記第１の移動通信デバイスにより計算される、ステップと
を含む、方法。
【請求項１５】
第１の移動通信デバイスであって、少なくとも第２の移動通信デバイスとの直接デバイスツーデバイス通信を行う能力があり、請求項１４に記載の方法に従い、前記直接デバイスツーデバイス通信またはセルラー通信を選択的に実行することができる第１の移動通信デバイス。
【外国語明細書】
2018033166000001.pdf